(57)【要約】【課題】  調整制御装置等の設備や装置あるいは保守点検作業をできるだけ少なくしてスリムな発電装置とし、入力である回転駆動力の大小にかかわらず発電を可能とし、インバータ等の変換器や従来系統連系に必要な単独運転防止対策や連係保護装置等の構成をできるだけ少なくし、回転エネルギーをできるだけ有効利用すること。【解決手段】  界磁巻線１を交流電源に接続し、回転子巻線４は回転子鉄心５の周方向に均一に巻かれた単位巻線を順に結線して形成し、各単位巻線の引き出し線をこの引き出し線に対応して備えられた光結合によるスイッチ素子８の導通にて直流電源１１に接続し、このスイッチ素子８を光の点滅により交流電源の周波数に同期して順に開閉させる。【選択図】      図７
2005057984.tif 000002
【特許請求の範囲】
【請求項１】
回転子巻線を有する回転子と固定子巻線を有する固定子とを備え、回転子の回転により固定子巻線から発電出力を得る発電装置において、
回転子巻線は所定の周期で通電される非接触のスイッチング手段を介して直流電源にて励磁されることを特徴とする発電装置。
【請求項２】
固定子巻線は、交流電源に接続されて交流励磁されることを特徴とする請求項１に記載の発電装置。
【請求項３】
回転子巻線は、回転子鉄心の周方向に単位巻線を並べて形成され、全単位巻線は電気的に結合した巻線を形成することを特徴とする請求項１に記載の発電装置。
【請求項４】
回転子巻線は、各単位巻線ごとに電気的入出力端子を有し、この電気的入出力端子に直流電源から非接触のスイッチング手段を介して通電し、各単位巻線が配置される回転子鉄心の周方向に所定の周期で回転励磁されることを特徴とする請求項３に記載の発電装置。
【請求項５】
回転子巻線は、複数の各単位巻線を一組とし、各組ごとに電気的入出力端子を有し、この電気的入出力端子に直流電源から非接触のスイッチング手段を介して通電し、各単位巻線が配置される回転子鉄心の周方向に所定の周期で回転励磁することを特徴とする請求項３に記載の発電装置。
【請求項６】
直流電源は、電圧源および電流源の双方を含むことを特徴とする請求項１〜５のいずれか一つに記載の発電装置。
【請求項７】
直流電源は、回転子の同期速度超での回転子巻線との接続状態を回転子の同期速度未満での回転子巻線との接続状態に対して逆接続にしたことを特徴とする請求項１〜６のいずれか一つに記載の発電装置。
【請求項８】
非接触のスイッチング手段は、発光素子と受光素子とを含み、受光素子は回転子と同一回転するものであることを特徴とする請求項４または５に記載の発電装置。
【請求項９】
非接触のスイッチング手段は、磁界とホール素子とを含み、ホール素子は回転子と同一回転するものであることを特徴とする請求項４または５に記載の発電装置。
【請求項１０】
受光素子をスイッチング動作させる源は、発光素子であることを特徴とする請求項８に記載の発電装置。
【請求項１１】
ホール素子を動作させる源は、磁界であることを特徴とする請求項９に記載の発電装置。
【請求項１２】
受光素子および発光素子は、略円形にかつ略近距離に対面配置され、発光素子の発光により受光素子は能動動作または受動動作することを特徴とする請求項８または１０に記載の発電装置。
【請求項１３】
ホール素子および磁界は、略円形にかつ略近距離に対面配置され、磁界の磁束によりホール素子は能動動作または受動動作することを特徴とする請求項９または１１に記載の発電装置。
【請求項１４】
発光素子は、回転子とは分離して配置され、受光素子と対面配置される円周方向に順次回転点滅移動することを特徴とする請求項１０または１２に記載の発電装置。
【請求項１５】
磁界は、回転子と分離して配置され、ホール素子と対面配置される円周方向に順次回転励磁移動することを特徴とする請求項１１または１３に記載の発電装置。
【請求項１６】
発光素子を交流電源の周波数に同期して回転発光させ、または磁界を交流電源の周波数に同期して回転励磁させるロジック回路を有することを特徴とする請求項１０〜１５のいずれか一つに記載の発電装置。
【請求項１７】
回転子巻線に直流電源から供給される電流は、電気角にして略１８０度離れた電気的入出力端子間にて通電させることを特徴とする請求項４または５に記載の発電装置。
【請求項１８】
非接触のスイッチング手段は、回転子巻線に直流電源から供給される電流を、一の電気的入出力端子に接続される一のスイッチング手段から電気角にして略１８０度に位置する他の電気的入出力端子に接続される他のスイッチング手段まで、相互に逆方向に流すものであることを特徴とする請求項４または５に記載の発電装置。
【請求項１９】
非接触スイッチング手段によって直流電源に接続される相互の電気角にして略１８０度離れた電気的入出力端子に接続された単位巻線を中心として、周方向に隣り合う単位巻線には相互に逆方向の電流を流すことを特徴とする請求項１８に記載の発電装置。
【請求項２０】
受光素子は、略円形の円周方向に物理角として３６０度未満の任意の角度範囲に集中して配置されることを特徴とする請求項１２に記載の発電装置。
【請求項２１】
ホール素子は、略円形の円周方向に物理角として３６０度未満の任意の角度範囲に集中して配置されることを特徴とする請求項１３に記載の発電装置。
【請求項２２】
回転子巻線を有する回転子と固定子巻線を有する固定子とで構成され、回転子の回転により固定子巻線から発電出力を得る発電装置において、
固定子巻線は、交流電源に接続されて交流励磁され、
回転子巻線は非接触のスイッチング手段を介して短絡されることを特徴とする発電装置。
【請求項２３】
回転子巻線は、回転子鉄心の周方向に単位巻線を並べて形成され、全単位巻線は電気的に結合した巻線に形成したことを特徴とする請求項２２に記載の発電装置。
【請求項２４】
回転子巻線は、各単位巻線ごとに電気的入出力端子を有し、この電気的入出力端子を非接触のスイッチング手段を介し、各単位巻線が配置される回転子鉄心の周方向に所定の周期で短絡されることを特徴とする請求項２３に記載の発電装置。
【請求項２５】
回転子巻線は、複数の各単位巻線を一組とし、各組ごとに電気的入出力端子を有し、この電気的入出力端子を非接触のスイッチング手段を介し、各単位巻線が配置される回転子鉄心の周方向に所定の周期で短絡されることを特徴とする請求項２３に記載の発電装置。
【請求項２６】
回転子巻線は、各単位巻線ごとに電気的入出力端子を有し、全ての電気的入出力端子を非接触のスイッチング手段を介し同時に短絡することを特徴とする請求項２３記載の発電装置。
【請求項２７】
回転子巻線は、複数の各単位巻線を一組とし、各組ごとに電気的入出力端子を有し、全ての電気的入出力端子を非接触のスイッチング手段を介し同時に短絡することを特徴とする請求項２３に記載の発電装置。
【請求項２８】
非接触のスイッチング手段は、発光素子と受光素子とを含み、受光素子は回転子と同一回転するものであることを特徴とする請求項２４〜２７のいずれか一つに記載の発電装置。
【請求項２９】
非接触のスイッチング手段は、磁界とホール素子とを含み、ホール素子は回転子と同一回転するものであることを特徴とする請求項２４〜２７のいずれか一つに記載の発電装置。
【請求項３０】
受光素子をスイッチング動作させる源は、発光素子であることを特徴とする請求項２８に記載の発電装置。
【請求項３１】
ホール素子を動作させる源は、磁界であることを特徴とする請求項２９記載の発電装置。
【請求項３２】
受光素子および発光素子は、略円形にかつ略近距離に対面配置され、発光素子の発光により受光素子は能動動作または受動動作することを特徴とする請求項２８または３０に記載の発電装置。
【請求項３３】
ホール素子および磁界は、略円形にかつ略近距離に対面配置され、磁界の磁束によりホール素子は能動動作または受動動作することを特徴とする請求項２９または３１に記載の発電装置。
【請求項３４】
発光素子は、回転子とは分離して配置され、受光素子と対面配置される円周方向に順次回転点滅移動または一斉点滅のいずれかの動作を行うことを特徴とする請求項３０または３２に記載の発電装置。
【請求項３５】
磁界は、回転子と分離して配置され、ホール素子と対面配置される円周方向に順次回転励磁移動または一斉励磁／非励磁のいずれかの動作を行うことを特徴とする請求項３１または３３に記載の発電装置。
【請求項３６】
発光素子を交流電源の周波数に同期させて発光させ、または磁界を交流電源の周波数に同期させて励磁させるロジック回路を有することを特徴とする請求項３０〜３５のいずれか一つに記載の発電装置。
【請求項３７】
ロジック回路は、ＰＷＭ回路にて構成されていることを特徴とする請求項３６に記載の発電装置。
【請求項３８】
回転子巻線の短絡は、電気角にして略１８０度離れた電気的入出力端子間で行うことを特徴とする請求項２４または２５に記載の発電装置。
【請求項３９】
受光素子は、略円形の円周方向に物理角として３６０度未満の任意の角度範囲に集中して配置されることを特徴とする請求項３２に記載の発電装置。
【請求項４０】
ホール素子は、略円形の円周方向に物理角として３６０度未満の任意の角度範囲に集中して配置されることを特徴とする請求項３３に記載の発電装置。
【請求項４１】
受光素子は、回転子の回転により固定子と相対位置関係が変動し、発光素子は、回転子の回転如何に関わらず固定子との相対位置関係が一定であることを特徴とする請求項８、１０、１２、１４、１６、２０、２８、３０、３２、３４、３６または３９のいずれか一つに記載の発電装置。
【請求項４２】
ホール素子は、回転子の回転により固定子と相対位置関係が変動し、磁界は、回転子の回転如何に関わらず固定子との相対位置関係が一定であることを特徴とする請求項９、１１、１３、１５、１６、２１、２９、３１、３３、３５、３６または４０のいずれか一つに記載の発電装置。
【請求項４３】
回転子は、発電装置を発電開始に至らすために、カットイン風速近傍において、風車の回転始動を支援することを特徴とする請求項１に記載の発電装置。
【発明の詳細な説明】
【技術分野】
【０００１】
この発明は、光結合や磁気結合を用いた交流発電装置に関し、殊に小型化を図り、かつ回転駆動力の大小にかかわらず一定周波数の出力が得られる発電装置に関する。
【背景技術】
【０００２】
例えば、水力発電や火力発電の原理としては、水車やタービンの回転駆動力を交流発電機に伝え、この交流発電機の回転子の回転に基づき発電し、交流電力を出力するものである。この場合、発電機出力としての交流電力を得るためには、一定の周波数になること、定格を超えない電圧に調整されていること、さらには使用電力や送電線路の送電容量に応じた電流および位相が調整されること、等種々の調整制御が必要になる。このために、例えば、発電機入力である水車やタービンの回転力を調整するためガスや水量の調整制御すなわちガバナによる調整制御、原動機の羽根の角度調整、等の種々の機械的調整や制御が必要になる。
【０００３】
一方、最近の趨勢として、小水力発電、風力発電などの小出力の発電装置（風力発電は最近では大出力のものも出現している）も種々商品化されており、自然環境下でのいわゆるクリーンなエネルギーを余すところなく電力に変えようとする動向に沿うものである。そして、これら小出力の発電装置にあってもガバナ等の装置や設備が必要となり保守点検も面倒となるのであるが、さらにはこれらの発電装置の設置については、回転駆動力を得るための風力等の強弱変化の影響をできるだけ少なくするように前述の火力発電等と同等あるいはそれ以上に予め設置環境を考慮することにより効率よくエネルギーを取得できる設置場所を厳密に選択するという必要も生ずる。
【０００４】
また、発電機である以上単独運転用のものを除き系統連系をする必要があるが、この系統連系をする場合発電機出力を商用電源周波数に同期させる必要があるため、従来では交流出力を一旦直流に変換しインバータによって商用交流電源に同期された交流を作成し、この交流を系統につなぐという方策を採っている。
【０００５】
【特許文献１】特開２００２−３１５３９６号公報
【発明の開示】
【発明が解決しようとする課題】
【０００６】
上述のように大規模な発電プラントにあっても、あるいは小出力の発電装置にあっても、設備コストの低減、装置の簡素化、係員による保守点検の軽減等のために発電機の本体である交流発電機以外の検出器、調整装置、制御装置、保護装置等極めて多く存在する装置や設備をできるだけ複合化して簡素化し、あるいはできれば除去することによって発電装置のスリム化を図りたいという要請がある。そしてこのスリム化の要請に沿うことは、装置の小型化につながり、季節や時期によって、例えば、水量の豊富な時期、風の強い時期に簡便に設置して発電するという、簡便に設置や収納を可能とする発電装置の提供につながる。
【０００７】
また、風力発電等では設置場所を厳密に選択してなるべく定常入力が得られるようにしているのが、仮に、回転駆動力に大きな変化があったとしてもその変化の影響を少なくして恒常的に発電出力が得られる発電装置を得たいという要請がある。
【０００８】
さらに、例えば船舶とか山小屋等に使用される単独運転用の発電装置などにおいては特別な場合であるが、他の発電装置や送配電設備との系統連系を取る場合においては、同期を採る必要があることから、従来ではインバータが別途必要となって高価なものとなり、またインバータの利用に伴う交流−直流、あるいは直流−交流変換作用にて効率が低下するという問題があった。また、系統連系を行う場合、断線等による負荷停電時でもインバータの動作による活線に伴う危険を防止すべく系統切り離しのための単独運転防止対策や負荷短絡時の防護のための高速遮断器等の連系保護装置が必要となるため、高価で構成上複雑なものとならざるを得なかった。
【０００９】
さらには、風力発電において、強風時に回転駆動力を発電装置から切り離すことなく、風力エネルギーを発電にできるだけ利用したいという要請もある。
【００１０】
この発明は、上述の問題に鑑みてなされたものであり、調整制御装置等の設備や装置あるいは保守点検作業をできるだけ少なくしてスリムな発電装置とし、入力である回転駆動力の大小にかかわらず発電を可能とし、系統連系をする場合にはインバータ等の変換器や従来系統連系に必要な単独運転防止対策や連系保護装置等の構成をできるだけ少なくし、回転エネルギーをできるだけ有効利用するようにした発電装置を得ることを目的とする。
【課題を解決するための手段】
【００１１】
上述の目的を達成するため、この発明にかかる発電装置は、回転子巻線を有する回転子と固定子巻線を有する固定子とで構成され、回転子の回転により固定子巻線から発電出力を得る発電装置において、回転子巻線は所定の周期で通電される非接触のスイッチング手段を介して直流電源にて励磁されることを特徴とする。
【００１２】
この発明によれば、非接触のスイッチング手段にて回転子巻線に所定の周期にて励磁電流を流すことになるので、固定子巻線に磁束変化による起電力が誘起し、発電が可能となる。
【００１３】
つぎの発明にかかる発電装置は、上記の発明において、固定子巻線は、交流電源に接続されて交流励磁されることを特徴とする。
【００１４】
この発明によれば、固定子巻線を界磁巻線として交流励磁することになるので、この交流励磁と同期する非接触のスイッチング手段のオン／オフを回転子巻線の励磁周期とすれば、系統連系が可能となる。
【００１５】
つぎの発明にかかる発電装置は、上記の発明において、回転子巻線は、回転子鉄心の周方向に単位巻線を並べて形成され、全単位巻線は電気的に結合した巻線に形成したことを特徴とする。
【００１６】
この発明によれば、回転子巻線は、回転子鉄心に単位巻線を鼓上巻きにして単相あるいは多相の巻線を形成し、励磁電流を流すことができる。
【００１７】
つぎの発明にかかる発電装置は、上記の発明において、回転子巻線は、各単位巻線ごとに電気的入出力端子を有し、この電気的入出力端子に直流電源から非接触のスイッチング手段を介して通電し、各単位巻線が配置される回転子鉄心の周方向に所定の周期で回転励磁されることを特徴とする。
【００１８】
この発明によれば、回転子巻線は、電気的入出力端子を介して単位巻線ごとに周方向に順に励磁されるので、回転磁界を形成することができる。
【００１９】
つぎの発明にかかる発電装置は、上記の発明において、回転子巻線は、複数の各単位巻線を一組とし、各組ごとに電気的入出力端子を有し、この電気的入出力端子に直流電源から非接触のスイッチング手段を介して通電し、各単位巻線が配置される回転子鉄心の周方向に所定の周期で回転励磁することを特徴とする。
【００２０】
この発明によれば、電気的入出力端子を介して複数一組の単位巻線ごとに周方向に順に励磁することによっても、回転磁界を形成することができる。
【００２１】
つぎの発明にかかる発電装置は、上記の発明において、直流電源は、電圧源および電流源の双方を含むことを特徴とする。
【００２２】
この発明によれば、電圧源と電流源との切り換えによって、回転子巻線に流れる電流を制御することができる。
【００２３】
つぎの発明にかかる発電装置は、上記の発明において、直流電源は、回転子の同期速度超での回転子巻線との接続状態を回転子の同期速度未満での回転子巻線との接続状態に対して逆接続にしたことを特徴とする。
【００２４】
この発明によれば、回転子の同期速度超にて逆接続に伴う直流電源の充電を行うことができる。
【００２５】
つぎの発明にかかる発電装置は、上記の発明において、非接触のスイッチング手段は、発光素子と受光素子とを含み、受光素子は回転子と同一回転するものであることを特徴とする。
【００２６】
この発明によれば、非接触のスイッチング手段は光によるものとした。
【００２７】
つぎの発明にかかる発電装置は、上記の発明において、非接触のスイッチング手段は、磁界とホール素子とを含み、ホール素子は回転子と同一回転するものであることを特徴とする。
【００２８】
この発明によれば、非接触のスイッチング手段は磁気を利用したホール素子によるものとした。
【００２９】
つぎの発明にかかる発電装置は、上記の発明において、受光素子をスイッチング動作させる源は、発光素子であることを特徴とする。
【００３０】
この発明によれば、スイッチング手段は非接触の光によるものとすることができる。
【００３１】
つぎの発明にかかる発電装置は、上記の発明において、ホール素子を動作させる源は、磁界であることを特徴とする。
【００３２】
この発明によれば、スイッチング手段は非接触の磁気によるものとすることができる。
【００３３】
つぎの発明にかかる発電装置は、上記の発明において、受光素子および発光素子は、略円形にかつ略近距離に対面配置され、発光素子の発光により受光素子は能動動作または受動動作することを特徴とする。
【００３４】
この発明によれば、非接触の光結合が確実に得られ、確実なスイッチングが可能となる。
【００３５】
つぎの発明にかかる発電装置は、上記の発明において、ホール素子および磁界は、略円形にかつ略近距離に対面配置され、磁界の磁束によりホール素子は能動動作または受動動作することを特徴とする。
【００３６】
この発明によれば、非接触の磁気結合が確実に得られ、確実なスイッチングが可能となり、しかも塵埃が多い等の環境であっても適用が可能である。
【００３７】
つぎの発明にかかる発電装置は、上記の発明において、発光素子は、回転子とは分離して配置され、受光素子と対面配置される円周方向に順次回転点滅移動することを特徴とする。
【００３８】
この発明によれば、発光素子を順次回転点滅移動させた受光素子制御によって、回転子巻線電流を順に制御することができ、ひいては回転磁界を形成させることができる。
【００３９】
つぎの発明にかかる発電装置は、上記発明において、磁界は、回転子と分離して配置され、ホール素子と対面配置される円周方向に順次回転励磁移動することを特徴とする。
【００４０】
この発明によれば、磁界を順次回転励磁移動させたホール素子制御によって、回転子巻線電流を順に制御することができ、ひいては回転磁界を形成させることができる。
【００４１】
つぎの発明にかかる発電装置は、上記発明において、発光素子を交流電源の周波数に同期して回転発光させ、または磁界を交流電源の周波数に同期して回転励磁させるロジック回路を有することを特徴とする。
【００４２】
この発明によれば、発光素子の回転発光あるいは磁界の回転励磁はロジック回路で実現することができる。
【００４３】
つぎの発明にかかる発電装置は、上記発明において、回転子巻線に直流電源から供給される電流は、電気角にして略１８０度離れた電気的入出力端子間にて通電させることを特徴とする。
【００４４】
この発明によれば、回転子巻線に流れる電流に起因して回転磁界を得ることができる。
【００４５】
つぎの発明にかかる発電装置は、上記の発明において、非接触のスイッチング手段は、回転子巻線に直流電源から供給される電流を、一の電気的入出力端子に接続される一のスイッチング手段から電気角にして略１８０度に位置する他の電気的入出力端子に接続される他のスイッチング手段まで、相互に逆方向に流すものであることを特徴とする。
【００４６】
この発明によれば、固定子巻線に起因する界磁極数に応じて容易に回転磁界を得るにあたって、スイッチング素子の逆方向接続によって回転磁界の回転時の電流切り替えを行うことができる。
【００４７】
つぎの発明にかかる発電装置は、上記の発明において、非接触スイッチング手段によって直流電源に接続される相互の電気角にして略１８０度離れた電気的入出力端子に接続された単位巻線を中心として、周方向に隣り合う単位巻線には相互に逆方向の電流を流すことを特徴とする。
【００４８】
この発明によれば、周方向に隣り合う単位巻線に相互に逆方向に電流を流すことで、単位巻線に流れる電流による電磁石を形成することができ、非接触スイッチング手段の回転開閉制御にて回転磁界を形成することができる。
【００４９】
つぎの発明にかかる発電装置は、上記の発明において、受光素子は、略円形の円周方向に物理角として３６０度未満の任意の角度範囲に集中して配置されることを特徴とする。
【００５０】
この発明によれば、回転に適した受光素子の配列状態にすることができる。
【００５１】
つぎの発明にかかる発電装置は、上記の発明において、ホール素子は、略円形の円周方向に物理角として３６０度未満の任意の角度範囲に集中して配置されることを特徴とする。
【００５２】
この発明によれば、回転に適したホール素子の配列状態にすることができる。
【００５３】
つぎの発明にかかる発電装置は、回転子巻線を有する回転子と固定子巻線を有する固定子とで構成され、回転子の回転により固定子巻線から発電出力を得る発電装置において、回転子巻線は非接触のスイッチング手段を介して短絡されることを特徴とする。
【００５４】
この発明によれば、特に、回転子の同期速度以上の回転にて発電出力を得ることができ、また、回転子電流を制限することができる。
【００５５】
つぎの発明にかかる発電装置は、上記の発明において、回転子巻線は、各単位巻線ごとに電気的入出力端子を有し、この電気的入出力端子を非接触のスイッチング手段を介し、各単位巻線が配置される回転子鉄心の周方向に所定の周期で短絡されることを特徴とする。
【００５６】
この発明によれば、電気的入出力端子を介して単位巻線ごとに周方向に順に短絡されることで、回転子電流を制限することができる。
【００５７】
つぎの発明にかかる発電装置は、上記の発明において、回転子巻線は、複数の各単位巻線を一組とし、各組ごとに電気的入出力端子を有し、この電気的入出力端子を非接触のスイッチング手段を介し、各単位巻線が配置される回転子鉄心の周方向に所定の周期で短絡することを特徴とする。
【００５８】
この発明によれば、電気的入出力端子を介して複数の一組の単位巻線ごとに周方向に順に短絡することによっても、回転子電流を制限することができる。
【００５９】
つぎの発明にかかる発電装置は、上記の発明において、回転子巻線は、各単位巻線ごとに電気的入出力端子を有し、全ての電気的入出力端子を非接触のスイッチング手段を介し同時に短絡することを特徴とする。
【００６０】
この発明によれば、電気的入出力端子を介して全単位巻線を一斉に短絡することが可能となり、誘導発電機を構成する。
【００６１】
つぎの発明にかかる発電装置は、上記の発明において、回転子巻線は、複数の各単位巻線を一組とし、各組ごとに電気的入出力端子を有し、全ての電気的入出力端子を非接触のスイッチング手段を介し同時に短絡することを特徴とする。
【００６２】
この発明によれば、複数の各単位巻線を一組とした各組ごとの電気的入出力端子を介して全単位巻線を一斉に短絡することによっても、誘導発電機を構成することができる。
【００６３】
つぎの発明にかかる発電装置は、上記の発明において、受光素子および発光素子は、略円形にかつ略近距離に対面配置され、発光素子の発光により受光素子は能動動作または受動動作することを特徴とする。
【００６４】
この発明によれば、非接触の光結合が確実に得られ、確実なスイッチングが可能となる。
【００６５】
つぎの発明にかかる発電装置は、上記の発明において、ホール素子および磁界は、略円形にかつ略近距離に対面配置され、磁界の磁束によりホール素子は能動動作または受動動作することを特徴とする。
【００６６】
この発明によれば、非接触の磁気結合が確実に得られ、確実なスイッチングが可能となり、しかも塵埃が多い等の環境であっても適用が可能である。
【００６７】
つぎの発明にかかる発電装置は、上記の発明において、発光素子は、回転子とは分離して配置され、受光素子と対面配置される円周方向に順次回転点滅移動または一斉点滅のいずれかの動作を行うことを特徴とする。
【００６８】
この発明によれば、非接触の光結合が確実に得られ、確実なスイッチングが可能となる。
【００６９】
つぎの発明にかかる発電装置は、上記の発明において、磁界は、回転子と分離して配置され、ホール素子と対面配置される円周方向に順次回転励磁移動または一斉励磁／非励磁のいずれかの動作を行うことを特徴とする。
【００７０】
この発明によれば、非接触の磁気結合が確実に得られ、確実なスイッチングが可能となる。また、塵埃が多い等の環境であっても適用が可能である。
【００７１】
つぎの発明にかかる発電装置は、上記の発明において、発光素子を交流電源の周波数に同期させて発光させ、または磁界を交流電源の周波数に同期させて励磁させるロジック回路を有することを特徴とする。
【００７２】
この発明によれば、発光素子の回転発光あるいは磁界の回転励磁はロジック回路にて得ることができる。
【００７３】
つぎの発明にかかる発電装置は、上記の発明において、ロジック回路は、ＰＷＭ回路にて構成されていることを特徴とする。
【００７４】
この発明によれば、ＰＷＭ制御によるパルス幅の制御にて電流を制御することができる。
【００７５】
つぎの発明にかかる発電装置は、上記の発明において、回転子巻線の短絡は、電気角にして略１８０度離れた電気的入出力端子間で行うことを特徴とする。
【００７６】
この発明によれば、電流制限を好適に行うことができる。
【００７７】
つぎの発明にかかる発電装置は、上記の発明において、受光素子は、略円形の円周方向に物理角として３６０度未満の任意の角度範囲に集中して配置されることを特徴とする。
【００７８】
この発明によれば、回転に適した受光素子の配列状態にすることができる。
【００７９】
つぎの発明にかかる発電装置は、上記の発明において、ホール素子は、略円形の円周方向に物理角として３６０度未満の任意の角度範囲に集中して配置されることを特徴とする。
【００８０】
この発明によれば、回転に適したホール素子の配列状態にすることができる。
【００８１】
つぎの発明にかかる発電装置は、上記の発明において、回転子巻線は、回転子鉄心の周方向に単位巻線を並べて形成され、全単位巻線は電気的に結合した巻線に形成したことを特徴とする。
【００８２】
この発明によれば、回転子巻線は、回転子鉄心に単位巻線を鼓上巻きにして単相あるいは多相の巻線を形成し、励磁電流を流すことができる。
【００８３】
つぎの発明にかかる発電装置は、上記の発明において、非接触のスイッチング手段は、発光素子と受光素子とを含み、受光素子は回転子と同一回転するものであることを特徴とする。
【００８４】
この発明によれば、非接触のスイッチング手段は光によるものとした。
【００８５】
つぎの発明にかかる発電装置は、上記の発明において、非接触のスイッチング手段は、磁界とホール素子とを含み、ホール素子は回転子と同一回転するものであることを特徴とする。
【００８６】
この発明によれば、非接触のスイッチング手段は磁気を利用したホール素子によるものとした。
【００８７】
つぎの発明にかかる発電装置は、上記の発明において、受光素子をスイッチング動作させる源は、発光素子であることを特徴とする。
【００８８】
この発明によれば、スイッチング手段は非接触の光によるものとすることができる。
【００８９】
つぎの発明にかかる発電装置は、上記の発明において、ホール素子を動作させる源は、磁界であることを特徴とする。
【００９０】
この発明によれば、スイッチング手段は非接触の磁気によるものとすることができる。
【００９１】
つぎの発明にかかる発電装置は、上記の発明において、受光素子は、回転子の回転により固定子と相対位置関係が変動し、発光素子は、回転子の回転如何に関わらず固定子との相対位置関係が一定であることを特徴とする。
【００９２】
この発明によれば、回転子の回転速度如何に関わらず、受光素子に対し同期回転速度にて発光照射可能である。
【００９３】
つぎの発明にかかる発電装置は、上記の発明において、ホール素子は、回転子の回転により固定子と相対位置関係が変動し、磁界は、回転子の回転如何に関わらず固定子との相対位置関係が一定であることを特徴とする。
【００９４】
この発明によれば、回転子の回転速度如何に関わらず、ホール素子に対し同期回転速度にて磁界照射可能である。
【００９５】
つぎの発明にかかる発電装置は、上記の発明において、回転子は、発電装置を発電開始に至らすために、カットイン風速近傍において、風車の回転始動を支援することを特徴とする。
【００９６】
この発明によれば、カットイン風速近傍において、風車の回転始動が容易となる。
【発明の効果】
【００９７】
この発明によれば、回転子巻線は所定の周期で通電される非接触のスイッチング手段を介して直流電源にて励磁されるように構成されるので、スリムな発電装置を実現することができるという効果を奏する。
【００９８】
つぎの発明によれば、固定子巻線は、交流電源に接続されて交流励磁されるように構成されるので、系統連系が可能となるという効果を奏する。
【００９９】
つぎの発明によれば、回転子巻線は、回転子巻線は、回転子鉄心の周方向に単位巻線を並べて形成され、全単位巻線は電気的に結合した巻線に形成されるので、回転エネルギーの有効利用が可能になるという効果を奏する。
【０１００】
つぎの発明によれば、回転子巻線は、各単位巻線ごとに電気的入出力端子を有し、この電気的入出力端子に直流電源から非接触のスイッチング手段を介して通電し、各単位巻線が配置される回転子鉄心の周方向に所定の周期で回転励磁することにより、電気的入出力端子を介して単位巻線ごとに周方向に順に励磁されるので、回転駆動力の大小にかかわらず発電することができ、回転エネルギーの有効利用が可能になるという効果を奏する。
【０１０１】
つぎの発明によれば、回転子巻線は、複数の各単位巻線を一組とし、各組ごとに電気的入出力端子を有し、この電気的入出力端子に直流電源から非接触のスイッチング手段を介して通電し、各単位巻線が配置される回転子鉄心の周方向に所定の周期で回転励磁することにより、回転駆動力の大小にかかわらず発電することができ、回転エネルギーの有効利用が可能になるという効果を奏する。
【０１０２】
つぎの発明によれば、直流電源は、電圧源および電流源の双方を含むことにより、電圧源と電流源との切り換えによって、回転子巻線に流れる電流を制御することができるという効果を奏する。
【０１０３】
つぎの発明によれば、直流電源は、回転子の同期速度超での回転子巻線との接続状態を回転子の同期速度未満での回転子巻線との接続状態に対し逆接続にしたことにより、回転子の同期速度超にて逆接続に伴う直流電源の充電を行うことができるという効果を奏する。
【０１０４】
つぎの発明によれば、非接触のスイッチング手段は、発光素子と受光素子とを含み、受光素子は回転子と同一回転するものであることにより、確実なスイッチングを行うことができるという効果を奏する。
【０１０５】
つぎの発明によれば、スイッチング手段は、磁界とホール素子とを含み、ホール素子は回転子と同一回転するものであることにより、塵埃が多い等の環境であっても確実なスイッチングを行うことができるという効果を奏する。
【０１０６】
つぎの発明によれば、受光素子をスイッチング動作させる源は、発光素子であることにより、確実なスイッチングを行うことができるという効果を奏する。
【０１０７】
つぎの発明によれば、ホール素子を動作させる源は、磁界であることにより、塵埃が多い等の環境であっても確実なスイッチングを行うことができるという効果を奏する。
【０１０８】
つぎの発明によれば、受光素子および発光素子は、略円形にかつ略近距離に対面配置され、発光素子の発光により受光素子は能動／受動動作することにより、接触部分のない光結合によるスイッチングが確実に得られるという効果を奏する。
【０１０９】
つぎの発明によれば、ホール素子および磁界は、略円形にかつ略近距離に対面配置され、磁界の磁束によりホール素子は能動動作することにより、接触部分のない磁気結合によるスイッチングが確実に得られるという効果を奏する。また、塵埃が多い等の環境であっても確実なスイッチングを行うことができるという効果を奏する。
【０１１０】
つぎの発明によれば、発光素子は、回転子とは分離して配置され、受光素子と対面配置される円周方向に順次回転点滅移動することにより、発光素子を順次回転点滅移動させ受光素子制御を行うことで、回転磁界を形成するとともに、回転子巻線電流を制御できるので、スリムな発電装置を実現することができるという効果を奏する。
【０１１１】
つぎの発明によれば、磁界は、回転子と分離して配置され、ホール素子と対面配置される円周方向に順次回転励磁移動することにより、磁界を順次回転励磁移動させホール素子制御を行うことで、回転磁界を形成するとともに、回転子巻線電流を制御できるので、スリムな発電装置を実現することができるという効果を奏する。
【０１１２】
つぎの発明によれば、発光素子を交流電源の周波数に同期して回転発光させ、または磁界を交流電源の周波数に同期して回転励磁させるロジック回路を有することにより、発光素子の回転発光あるいは磁界の回転励磁はロジック回路にて容易に得ることができるという効果を奏する。
【０１１３】
つぎの発明によれば、回転子巻線に直流電源から供給される電流は、電気角にして略１８０度離れた電気的入出力端子間にて通電させることにより、固定子巻線に起因する界磁極数に応じて容易に回転磁界を得ることができるという効果を奏する。
【０１１４】
つぎの発明によれば、非接触のスイッチング手段は、回転子巻線に直流電源から供給される電流を、一の電気的入出力端子に接続される一のスイッチング手段から電気角にして略１８０度に位置する他の電気的入出力端子に接続される他のスイッチング手段まで、相互に逆方向に流すものであることにより、固定子巻線に起因する界磁極数に応じて容易に回転磁界を得るにあたって、スイッチング素子の逆方向接続によって回転磁界の回転時の電流切り替えを円滑に行うことができるという効果を奏する。
【０１１５】
つぎの発明によれば、非接触スイッチング手段によって直流電源に接続される相互の電気角にして略１８０度離れた電気的入出力端子に接続された単位巻線を中心として、周方向に隣り合う単位巻線には相互に逆方向の電流を流すことにより、周方向に隣り合う単位巻線に相互に逆方向に電流を流すことで回転磁界を形成することができ、回転エネルギーの有効利用が可能になるという効果を奏する。
【０１１６】
つぎの発明によれば、受光素子は、略円形の円周方向に物理角として３６０度未満の任意の角度範囲に集中して配置されることにより、回転に適した受光素子の配列状態にすることができるという効果を奏する。
【０１１７】
つぎの発明によれば、ホール素子は、略円形の円周方向に物理角として３６０度未満の任意の角度範囲に集中して配置されることにより、回転に適したホール素子の配列状態にすることができるという効果を奏する。
【０１１８】
つぎの発明によれば、回転子巻線を有する回転子と固定子巻線を有する固定子とで構成され、回転子の回転により固定子巻線から発電出力を得る発電装置において、回転子巻線はスイッチング手段を介して短絡することにより、特に回転子の同期速度以上の回転にて発電出力を得ることができ、回転子電流を制限することができるという効果を奏する。
【０１１９】
つぎの発明によれば、回転子巻線は、各単位巻線ごとに電気的入出力端子を有し、この電気的入出力端子を非接触のスイッチング手段を介し、各単位巻線が配置される回転子鉄心の周方向に所定の周期で短絡することにより、電気的入出力端子を介して単位巻線ごとに周方向に順に短絡することが可能となり、回転子電流を制限することができるという効果を奏する。
【０１２０】
つぎの発明によれば、回転子巻線は、複数の各単位巻線を一組とし、各組ごとに電気的入出力端子を有し、この電気的入出力端子を非接触のスイッチング手段を介し、各単位巻線が配置される回転子鉄心の周方向に所定の周期で短絡することにより、電気的入出力端子を介して単位巻線の組ごとに周方向に順に短絡することが可能となり、回転子電流を制限することができるという効果を奏する。
【０１２１】
つぎの発明によれば、回転子巻線は、各単位巻線ごとに電気的入出力端子を有し、全ての電気的入出力端子を非接触のスイッチング手段を介し同時に短絡することにより、電気的入出力端子を介して全単位巻線を一斉に短絡することが可能となり、誘導発電機を構成することができるという効果を奏する。
【０１２２】
つぎの発明によれば、回転子巻線は、複数の各単位巻線を一組として各組ごとに電気的入出力端子を有し、全ての電気的入出力端子を非接触のスイッチング手段を介し同時に短絡することにより、電気的入出力端子を介して全単位巻線を一斉に短絡することが可能となり、誘導発電機を構成することができるという効果を奏する。
【０１２３】
つぎの発明によれば、受光素子および発光素子は、略円形にかつ略近距離に対面配置され、発光素子の発光により受光素子は能動／受動動作することにより、非接触の光結合が確実に得られ、確実なスイッチングが可能となるという効果を奏する。
【０１２４】
つぎの発明によれば、ホール素子および磁界は、略円形にかつ略近距離に対面配置され、磁界の磁束によりホール素子は電圧を出力することにより、非接触の磁気結合が確実に得られ、確実なスイッチングが可能となり、しかも塵埃が多い等の環境であっても適用が可能となるという効果を奏する。
【０１２５】
つぎの発明によれば、発光素子は、回転子とは分離して配置され、受光素子と対面配置される円周方向に順次回転点滅移動または一斉に点滅のいずれかをすることにより、非接触の光結合が確実に得られ、確実なスイッチングが可能となるという効果を奏する。
【０１２６】
つぎの発明によれば、磁界は、回転子と分離して配置され、ホール素子と対面配置される円周方向に順次回転励磁移動または一斉に励磁・非励磁のいずれかをすることにより、非接触の磁気結合が確実に得られ、確実なスイッチングが可能となり、しかも塵埃が多い等の環境であっても適用が可能となるという効果を奏する。
【０１２７】
つぎの発明によれば、発光素子を交流電源の周波数に同期させて発光させ、または磁界を交流電源の周波数に同期させて励磁させるロジック回路を有することにより、発光素子の回転発光あるいは磁界の回転励磁はロジック回路にて容易に得ることができるという効果を奏する。
【０１２８】
つぎの発明によれば、ロジック回路は、ＰＷＭ回路にて構成されていることにより、ＰＷＭ制御によりパルス幅の制御にて電流を容易に制御することができるという効果を奏する。
【０１２９】
つぎの発明によれば、回転子巻線の短絡は、電気角にして略１８０度離れた電気的入出力端子間で行うことにより、誘導発電機を構成するととともに電流制限を好適に行うことができるという効果を奏する。
【０１３０】
つぎの発明によれば、受光素子は、略円形の円周方向に物理角として３６０度未満の任意の角度範囲に集中して配置されることにより、回転に適した受光素子の配列状態にすることができるという効果を奏する。
【０１３１】
つぎの発明によれば、ホール素子は、略円形の円周方向に物理角として３６０度未満の任意の角度範囲に集中して配置されることにより、回転に適したホール素子の配列状態にすることができるという効果を奏する。
【０１３２】
つぎの発明によれば、回転子巻線は、回転子鉄心の周方向に単位巻線を並べて形成され、全単位巻線は電気的に結合した巻線に形成されるので、回転エネルギーの有効利用が可能になるという効果を奏する。
【０１３３】
つぎの発明によれば、非接触のスイッチング手段は、発光素子と受光素子とを含み、受光素子は回転子と同一回転するものであることにより、確実なスイッチングを行うことができるという効果を奏する。
【０１３４】
つぎの発明によれば、スイッチング手段は、磁界とホール素子とを含み、ホール素子は回転子と同一回転するものであることにより、塵埃が多い等の環境であっても確実なスイッチングを行うことができるという効果を奏する。
【０１３５】
つぎの発明によれば、受光素子をスイッチング動作させる源は、発光素子であることにより、確実なスイッチングを行うことができるという効果を奏する。
【０１３６】
つぎの発明によれば、ホール素子を動作させる源は、磁界であることにより、塵埃が多い等の環境であっても確実なスイッチングを行うことができるという効果を奏する。
【０１３７】
つぎの発明によれば、発光素子は固定されているので、回転子の回転速度如何に関わらず、常に、受光素子に対し同期スイッチング可能であり、このため、常に回転子巻線に同期回転磁界を発生させることができるという効果を奏する。
【０１３８】
つぎの発明によれば、磁界は固定されているので、回転子の回転速度如何に関わらず、常に、ホール素子に対し同期スイッチング可能であり、このため、常に回転子巻線に同期回転磁界を発生させることができるという効果を奏する。
【０１３９】
つぎの発明によれば、回転子には、発電装置が発電する方向に風車を回転させる動力を発生させることが可飽であるため、風車の回転始動が容易となるという効果を奏する。
【発明を実施するための最良の形態】
【０１４０】
以下に図面を参照して、この発明にかかる好適な発明の実施の形態を詳細に説明する。なお、この実施の形態によりこの発明が限定されるものではない。
【０１４１】
［第１の実施形態］
図１は、この発明の第１の実施形態にかかる発電装置の簡略構成図である。この発電装置は、単独運転の発電装置としても系統連系の発電装置としても機能させることができるが、この実施形態は、単独運転の発電装置として機能させる場合の構成を示すものである。なお、同図に示す構成図では、発電装置の構成をわかりやすく説明するために多少の変形を加え、あるいは模式的な構成として表示している。例えば、実際の発電装置では、回転子６が磁極片２２の内部に挿入される形で構成されるが、同図では、回転子６の概略構造を明確にするため磁極片２２と重ならないように表示している。
【０１４２】
図１において、界磁巻線１が巻かれた固定子鉄心２を有する固定子３に対して、回転子巻線４が巻かれた回転子鉄心５を有する回転子６が原動機である風車７を駆動源として回転自在に配置される。回転子６には、回転子巻線４と結線されている複数のＳＷ受光素子８（例えば、フォトダイオード）が回転子６と一体に回転可能に配置され、ＳＷ受光素子８に対向するように複数の発光素子９（例えば、発光ダイオード（ＬＥＤ））が配置されている。なお、図１では、図示の都合上、２つの受光素子のみを示しているが、実際は、回転軸に固定された円板の周方向に沿って複数の受光素子が略均一に配列される。
【０１４３】
界磁巻線１が巻回された固定子鉄心２のヨーク２１の端は、磁極片２２をそれぞれ有する２極の界磁極を構成する。この場合、界磁極としては、２極の構成だけでなく２の倍数の極数とすることもできる。また、界磁巻線１は、三相交流電源にも接続することができるが、界磁極として３極もしくは３の倍数の極数に構成することもできる。なお、図１の固定子鉄心２の形状は、実際に即した形状ではなく、説明の都合上、固定子鉄心２のヨーク２１の端を形成しているものとして示している。また、磁極片（界磁極）２２は、回転子６に合わせた形状とし、ヨーク２１は、磁極片２２を連結して界磁巻線１が巻回された構造として簡略図示している。
【０１４４】
回転子６は、その外周の周方向に等しく配置して形成され軸方向に直線状に形成されたスロット内にコイル辺４１を挿入した複数の型巻コイルからなる回転子巻線４を有している。また、オン／オフ機能を有する複数のＳＷ受光素子８の一端は、各型巻コイルのそれぞれの巻線端の引き出し線端（電気的入出力端子）にそれぞれ接続され、一方、複数のＳＷ受光素子８の他端は、スリップリング１０ａ，１０ｂのいずれかに接続されるように構成される。
【０１４５】
図２は、回転子巻線４とＳＷ受光素子８との原理的結線状態を簡略的に示す図である。同図において、回転子巻線４の型巻コイル（単位巻線）の一つ一つの引き出し線にそれぞれ２つの受光ＭＯＳ素子８ａ１１，８ｂ１１，８ａ１２，８ｂ１２が接続される。ここで、受光ＭＯＳ素子８ａ１１は、直流電源１１のプラス側に接続されるスリップリング１０ａに結線され、受光ＭＯＳ素子８ｂ１１は、直流電源１１のマイナス側に接続されるスリップリング１０ｂに結線される。一方、受光ＭＯＳ素子８ａ１２は、直流電源１１のマイナス側に接続されるスリップリング１０ｂに結線され、受光ＭＯＳ素子８ｂ１２は、直流電源１１のプラス側に接続されるスリップリング１０ａに結線される。
【０１４６】
これらの受光素子８ａ１１，８ｂ１１，８ａ１２，８ｂ１２は、つぎのように制御される。例えば、受光ＭＯＳ素子８ａ１１がオンとなるとき、電気角で略１８０度離れた受光ＭＯＳ素子８ａ１２がオンとなる。このとき、回転子巻線４と受光ＭＯＳ素子８ａ１１，８ａ１２とによる閉回路が形成され、回転子巻線４には、直流電源１１からの直流電流が、スリップリング１０ａ→受光ＭＯＳ素子８ａ１１→回転子巻線４→受光ＭＯＳ素子８ａ１２→スリップリング１０ｂの向きの直流電流が流れる。
【０１４７】
一方、受光ＭＯＳ素子８ｂ１１がオンとなるとき、電気角で略１８０度離れた受光ＭＯＳ素子８ｂ１２がオンとなる。このとき、回転子巻線４と受光ＭＯＳ素子８ｂ１１，８ｂ１２とによる閉回路が形成され、回転子巻線４には、直流電源１１からの電流で上記とは逆向きの直流電流、すなわち、スリップリング１０ａ→受光ＭＯＳ素子８ｂ１２→回転子巻線４→受光ＭＯＳ素子８ｂ１１→スリップリング１０ｂの向きの直流電流が流れる。
【０１４８】
図２では、２組の受光ＭＯＳ素子８ａ１１，８ｂ１１，８ａ１２，８ｂ１２だけを示しているが、各型巻コイルである単位巻線に接続される２つの受光ＭＯＳ素子８ａｎ１，８ｂｎ１（添字ｎは、回転子巻線の極数の対に対応する番号を示す）と、この単位巻線と電気角にて略１８０度離れた単位巻線に接続される２つの受光ＭＯＳ素子８ａｎ２，８ｂｎ２（上記と同じく、添字ｎは、回転子巻線の極数の対に対応する番号を示す）との間でも、受光ＭＯＳ素子８ａｎ１，８ａｎ２あるいは受光ＭＯＳ素子８ｂｎ１，８ｂｎ２をそれぞれ対として、直流電源１１と回転子巻線４とがそれぞれ結線される。
【０１４９】
なお、これらの受光ＭＯＳ素子８ａｎ１，８ｂｎ１，８ａｎ２，８ｂｎ２は、後述するように回転子巻線４に直流電源１１からの電流を導き、かつ、この電流を切り替えて回転磁界を作るためのものである。このため、単位巻線の全てに受光ＭＯＳ素子を備えることなく、複数の各単位巻線を一組とし、各組ごとに電気入出力端子を用意し、、受光ＭＯＳ素子８ａｎ１，８ｂｎ１を接続し、、また、この単位巻線と電気角にて略１８０度離れた別グループの単位巻線に受光ＭＯＳ素子８ａｎ２，８ｂｎ２を接続するようにしてもよい。
【０１５０】
図１に戻って、回転子巻線４に接続されたＳＷ受光素子８は、回転子６と一体に回転するため、回転軸に固定された円板の周方向に沿って略均一に配列される構成を有し、遠心力や振動に耐えるように強固に取り付けられている。一方、直流電源１１は、回転部分との間でスリップリング１０ａ，１０ｂやブラシを介して接続されることになり、固定状態に置かれる。そのため、直流電源１１を回転軸に搭載した一体回転する構造とするときには、スリップリング１０ａ，１０ｂやこのブラシは不要となる。
【０１５１】
また、図１において、複数のＳＷ受光素子８に対向して配置された複数の発光素子９は、商用電源電力に接続された発光素子駆動部１２に接続される。ここで、発光素子９は、ＳＷ受光素子８をオンまたはオフする必要があるためにＳＷ受光素子８と対向して配置される。
【０１５２】
図３は、ＳＷ受光素子８および発光素子９の配置とこれらの位置関係とを説明するための図である。同図において、円板８１には、ＳＷ受光素子８が周方向に配列されている。円板８１と対峙して配置される板９１には、発光素子９がＳＷ受光素子８と対向するように配列されている。この場合、円板８１は回転軸と一体で回転する回転体であるのに対し、板９１は回転することなく置かれる固定物であるため、板９１の形状や発光素子９の取り付け強度も受光側とは異なっていてもよい。
【０１５３】
なお、ＳＷ受光素子８は、回転体に搭載されるため、図３に示すように円周上に均等に配列されるのが一般的であり、発光素子９は、これらのＳＷ受光素子８に対向するように配列されていればよい。また、ＳＷ受光素子８および発光素子９の両者の配置は、３６０度の円周上に均等に配列することが一般的であるが、この配列に限定されるものではなく、両者ともに３６０度未満の任意の角度範囲に集中して配列しても構わない。
【０１５４】
肝要な点は、回転子巻線４に商用電源の周波数に同期した回転磁界を作ることができればよいのであって、そのためには、所望の時点において、ＳＷ受光素子８と対向する発光素子９を確実に発光させるように制御できればよい。より具体的には、回転磁界を生成するために飛び飛びにオンさせたいＳＷ受光素子８に対して、このＳＷ受光素子８に対向する発光素子９を発光させるようにすればよい。あるいは、複数の連続した単位巻線を一組とし、電気角にて略１８０度離れた単位巻線の組の単位として発光素子９を円周方向に順に組ごとに点滅させ、ＳＷ受光素子８を円周方向に順に組ごとに切り替えるようにするなど、その他、種々の変形が可能である。なお、これらの発光制御は、発光素子駆動部１２によって容易に実現することができる。
【０１５５】
図１に戻って、発光素子９が接続される発光素子駆動部１２は、内部にロジック回路を有し、このロジック回路からの制御信号(点滅信号)によって、例えば、５０Ｈｚあるいは６０Ｈｚの商用電源周波数に同期させ、発光素子９を順に点滅させる機能を有する。いま、ある発光素子が発光した後、つぎの発光素子が発光するまでの単位時間（ミリ秒：ｍｓ）あたりの変位量（角度：ｄｅｇ）を発光素子回転角速度（ｄｅｇ／ｍｓ）と定義すれば、この発光素子回転角速度は、界磁の磁極数によって変化する。例えば、発光素子９が円周方向に均等に配置され、界磁の磁極数が２極で、商用電源周波数が６０Ｈｚの場合では、発光素子回転角速度は、２１．６（ｄｅｇ／ｍｓ）となる。また、界磁の磁極数が４極、８極、１６極、・・・と増加するにつれて電気角３６０°に相当する物理的な回転角が１８０°、９０°、４５°、・・・と減少するので、発光素子回転角速度も、１／２、１／４、１／８、・・・、すなわち、１０．８（ｄｅｇ／ｍｓ）、５．４（ｄｅｇ／ｍｓ）、２．７（ｄｅｇ／ｍｓ）・・・と減少していくことになる。
【０１５６】
さて、図１に示す構造を有するこの発電装置にあっては、発光素子９側から見ると、前述のように、商用電源に接続された発光素子駆動部１２内のロジック回路からの制御信号(点滅信号)によって発光素子９は、電源周波数に同期して点滅する。この点滅の移動によってＳＷ受光素子８のオン／オフの状態が次々と移り変わって回転子巻線４に流れる電流方向が変化することになる。
【０１５７】
図４は、この回転子巻線４に流れる電流方向の変化を説明するための図であり、１２個の単位巻線（型巻コイル）からなる回転子巻線４と回転子巻線４が接続される整流子１３とを有する交流整流子機を平面的に展開した状態を示している。ここで、一般的な交流整流子機に備えられた回転子巻線の構造は、本願発明の発電装置に備えられる回転子巻線４の構造と基本的な点において同一であるため、この交流整流子機を例にとって上述の電流方向の変化の説明を行うことにする。
【０１５８】
図４において、整流子１３の整流子片１３ａにブラシ１３ｂが接触した状態が、図２に示す受光ＭＯＳ素子８ａ１１および受光ＭＯＳ素子８ａ１２が同時にオンとなった状態に該当する。すなわち、図２における受光ＭＯＳ素子８ａ１１と受光ＭＯＳ素子８ａ１２とがオン状態のときが、図４でのニ、ニ位置において整流子片１３ａとブラシ１３ｂとが接触しているときと等価である。このとき、直流電源１１による電流は、同図中、左側のニの位置から右側のニの位置に向って回転子巻線４内を右方向と左方向の２方向に分流することになる。ついで、隣接するＳＷ受光素子８がオン状態になることは、例えば、整流子片１３ａにブラシ１３ｂが接触した状態が、ホ、ホ位置に移ることであり、この場合では、左側のホの位置から右側のホの位置に向って回転子巻線４内を右方向と左方向の２方向に分流することになる。
【０１５９】
このように発光素子９を商用電源周波数に同期して順に点滅させることは、ＳＷ受光素子８を商用電源周波数に同期して順にオンさせることであり、図４に示すようにブラシ１３ｂの接触位置が順にシフトし、このシフトにより回転子巻線４内を流れる直流電源１１からの電流が順に隣の単位巻線に変移していくことになる。これは、直流電源１１から回転子巻線４内に流れる電流によって生じた図中破線で示す電磁石Ｍが、電流の変移によって商用電源周波数に同期して回転する回転磁界を発生させることになる。換言すれば、発光素子９を順に点滅させ、ＳＷ受光素子８を順にオンさせることは、直流電源１１からの電流を回転子巻線４内にて順に変移させることにつながり、この変移電流により回転子６に回転磁界を生起させることになる。
【０１６０】
図５は、回転子の回転磁界によって界磁巻線に生ずる磁界の変化を説明するための図である。回転子６において、ＳＷ受光素子８が順にオンすることによって、直流電源１１からスリップリング１０ａ（図中黒丸で示す）を介して流れ込む電流が回転子巻線４を流れスリップリング１０ｂ（図中白丸で示す）を抜けて直流電源１１に戻る。この回転子巻線４を流れる電流によって、回転子６には同図に示すような回転磁界が生ずる。この回転磁界は、磁極片２２での磁界の変化をもたらし、界磁巻線１に誘導起電力を生じさせる。
【０１６１】
図５では、界磁巻線１に生ずる磁界の強度変化を、図中Ｎ、Ｓの文字の大きさによって示している。この磁界の変化は、界磁巻線に鎖交する磁束量が変化することによって引き起こされる。１の状態では、同図左側の磁極片では回転磁界のＮ極と逆極性のＳ極が生じ、同図右側の磁極片では回転磁界のＳ極と逆極性のＮ極が生ずる。これに対して、５の状態では、同図左側の磁極片では回転磁界のＳ極と逆極性のＮ極が生じ、同図右側の磁極片では回転磁界のＮ極と逆極性のＳ極が生ずる。このように、回転磁界の回転によって界磁巻線に生ずる磁界の強さが１〜５のように変化する。一方、界磁巻線に生ずる起電力は磁束量の変化、つまり磁界の変化量に比例するので、同図に示すように、３の状態ときに最大となり、１および５の状態のときには略０となる。
【０１６２】
これまでの説明では、特に断りを入れることなく、風車７は停止している状態にあり、回転子６は物理的に回転していないものとして取り扱ってきた。そこで、つぎに、風車７の回転によって回転子６が物理的に回転している場合について説明する。
【０１６３】
まず、回転磁界の周期について考える。回転磁界の変化は、上述したようにＳＷ受光素子８を順にオンさせることによってのみ生ずる。すなわち、回転磁界の変化は、図５に示すように、１〜５の間で半周期の回転磁界が形成され、この周期は起電力の周期と同一である。一方、この起電力の周期は、ＳＷ受光素子８の点滅周期とも同一である。したがって、回転磁界の周期は、ＳＷ受光素子８の点滅周期と同一であり、回転子６の回転速度には依存しない。このことから、図１において、界磁巻線１から出力される交流出力の周波数は、回転子６の回転速度に依存することなく、発光素子駆動部１２によって制御することができる。例えば、発光素子駆動部１２が商用電源の周波数に同期して発光素子９を回転点滅させ、ＳＷ受光素子８を制御することで、商用電源と同一周波数の交流出力を取り出すことができる。その一方で、商用電源とは異なる周波数の交流出力を取り出すことも可能であり、例えば、商用電源の周波数が５０Ｈｚのときに６０Ｈｚの交流出力を取り出すこともでき、周波数変換装置としても機能させることができる。
【０１６４】
つぎに、界磁巻線１に生ずる起電力の大きさについて考える。界磁巻線１に生ずる起電力の大きさが界磁巻線１を鎖交する磁束の変化量に比例するという事実は、上述したとおりである。つまり、界磁巻線１に生ずる起電力の大きさは、単位時間あたりに界磁巻線１を鎖交する磁束量に比例することになる。一方、風車７が物理的に回転し、回転速度が増加するにつれて、界磁巻線１を横切る回転子巻線４の単位巻線の数が増加する。これは、単位時間当たりに界磁巻線１を通過する磁束量が増大することであり、したがって、回転子６の回転速度が増加すると、界磁巻線１に生ずる起電力が増大することになり、この関係を示したものが図６である。
【０１６５】
図６は、第１の実施の形態の発電装置における回転子６の回転速度と界磁巻線１に生ずる起電力（電圧）との関係を示す図である。同図に示す２本のカーブは、それぞれ異なる作用によって生ずる起電力を示しており、一方は、トランス結合作用による起電力（Ｔ）であり、他方は、回転による起電力（Ｒ）である。なお、これらの２つの起電力の定義（意味）については、後述する。
【０１６６】
つぎに、図１に示すこの実施の形態の発電装置において、風車７の動きを加味したときの動作について、図１または図６を用いて説明する。
具体的には、
１  回転子６が停止している場合
また、風車７の回転により生ずる回転駆動力によって、
２  回転子６が同期速度未満で回転している場合
３  同期速度で回転している場合
４  同期速度を超える速度で回転している場合、
の各状態にわたって、界磁巻線１での発生電圧などについて説明する。
【０１６７】
（回転子６が停止している場合）
図１において、発光素子９が同期速度で点滅することによりＳＷ受光素子８の導通切り替わりが同期速度に同期して生じる。このとき、回転子巻線４には、図４を用いて上述したように、ブラシ１３ｂの移動によって直流電源１１から流れる直流電流の切り替わりが生じる。この直流電流が同期速度で切り替わることにより、回転子６には同期回転磁界が生じ、この回転磁界によって界磁巻線１には、直流電流の切り替わりに同期した誘導起電力が生じる。ここで、この界磁巻線１に生ずる起電力は、界磁巻線１と回転子巻線４との磁気結合に基づいて発生し、また、このとき発生する起電力の大きさは、両者の巻線比等に依存するので、この起電力をトランス結合作用による起電力と呼称する。
【０１６８】
図６にも示すように、風車７の停止状態において、このトランス結合作用による起電力が生じている。このように、風車７が停止して回転駆動力がなく回転子６が停止している状態でも、回転子巻線４が界磁極での磁束変化を受けるので、誘導起電力が生ずる。
【０１６９】
（回転子６が同期速度未満の速度で回転しているとき）
界磁巻線１に生ずる誘導起電力に関し、風車７が停止している状態から回転し始め、回転子６が同期速度未満の速度で回転している場合はつぎのようになる。風車７の回転駆動力により回転子６が回転し始め物理的回転が増大するにつれて、回転子６の回転と回転磁界の同期回転との間の速度差が次第に小さくなっていく。この状態は、発光素子９の同期速度での点滅に対してＳＷ受光素子８の導通切り替わり速度が相対的に遅くなっていくことを意味する。
【０１７０】
すなわち、回転子６が停止しているときと比べ、回転子６の回転速度が同期速度に近づくこととなって、回転子６が停止している際に生じたトランス結合作用のみによる起電力が、回転子６の回転に伴って減少する。一方、回転子６には、受光素子のスイッチングにより直流励磁された巻線が存在するので、この電磁石の回転により発生する起電力が次第に増大する。なお、この起電力を、上記の「トランス結合作用による起電力」と区別するために、「回転による起電力」と呼称する。
【０１７１】
また、図６にも示すように、回転子６が同期速度未満で回転している場合、発電装置全体としては、回転子６の物理的回転に基づかないトランス結合作用による起電力（Ｔ）が減少する反面、回転子６の回転に基づいて発生する回転による起電力（Ｒ）が増大する。回転子６の回転速度が増大するにつれ、ＳＷ受光素子８の導通切り替わり速度が相対的に遅くなって、回転子巻線４のリアクタンスが減少し、回転子巻線４のインピーダンスが減少する。この結果、回転磁界を生じさせる電流が増大して磁界が強くなり、界磁巻線１での誘導起電力も大きくなる。
【０１７２】
（回転子６が同期速度で回転しているとき）
風車７の回転駆動力によって回転子６の物理的回転とＳＷ受光素子８の導通切り替わりによる回転磁界とが同一の同期速度になった場合については、回転子６の回転速度そのものが、発光素子９の周方向の回転点滅速度と一致するので、ＳＷ受光素子８の導通切り替わりがなくなって同一のＳＷ受光素子８のみが導通し続けることになる。このため、偶然に選択された回転子巻線４の入出力端子のみが導通して直流電源１１からの直流電流に基づく直流磁界によって生じた電磁石（回転子巻線４の切り替わりによらない）の同期回転によって、界磁巻線１には起電力が生ずる。なお、この起電力は、界磁巻線１を電磁石の磁束が横切ることによって生ずるので、前述した回転による起電力のみが生じ、回転子巻線４には直流電源のみが流れるためトランス結合作用は消滅し、この作用による起電力は略０となる（図６参照）。
【０１７３】
（回転子６が同期速度を超えて回転しているとき）
風車７の高速回転によって回転子６の回転が同期速度を超える速度（同期速度超という）で回転する場合は、回転子６が同期回転して回転子巻線４の電磁石が同期回転する場合よりもさらに高速に回転することとなる。つまり、界磁巻線１および回転子巻線４に流れる電流による回転磁界は、回転子６の回転よりも遅れて回転することとなる。したがって、界磁巻線１の磁束変化や回転磁界の回転の元となる発光素子９の点滅による回転が生じない瞬間でも、回転子６自体は物理的に回転していることになる。その結果、回転子巻線４の電磁石の同期回転によって界磁巻線１に生ずる回転による起電力に対し、さらに同期速度を超える分だけの回転子６の回転に起因する磁束変化に基づいた起電力が界磁巻線１に加わる。また、トランス結合作用による界磁巻線１に生じる電圧は、回転子６の回転が同期速度を超過することにより、回転子巻線４の電流の切り替わりが生じ、再び発生する。なお、この電圧は、同期速度未満の場合と同相で、回転子６の回転の増大に伴い、増大する（図６参照）。
【０１７４】
上述した動作（作用）を纏めると、界磁巻線１に発生する電圧は、つぎのようになる。
１  回転子６が停止状態のときは、トランス結合作用による起電力のみが生じ、
２  回転子６が同期速度未満の速度で回転しているときは、トランス結合作用による起電力が減少する反面、回転による起電力が増大し、
３  回転子６が同期速度で回転しているときは、回転による起電力のみが生じ、トランス結合作用による起電力は略０となり、
４  回転子６が同期速度を超えて回転しているときは、回転による起電力は増加し、トランス結合作用による起電力は同期速度を境に再び上昇する。
【０１７５】
このように、回転子６が停止状態から同期速度を超えて回転する領域の全域にわたって、同期速度で回転している回転子巻線４が発生する回転磁界の周期に同期した同期周波数の発電出力を得ることができる。なお、図６にも示すように、回転子６が同期速度未満で回転している領域では、同期発電機としての振る舞いを呈し、回転子６が同期速度を超えて回転している領域では、誘導発電機としての振る舞いを呈することになる。
【０１７６】
なお、回転子６の回転速度が増大すると回転子巻線４に流れる電流が増加するが、回転子巻線４のリアクタンスが大きくなり、回転子巻線４に流れる電流は制限される。したがって、図６に示すように、回転による起電力も徐々に飽和するようになる。一方、回転子巻線４に流す電流を小さくすれば界磁巻線１の起電力を抑制することもできる。つまり、回転子６の回転速度の増大によって増加する回転子電流を積極的に制御することにより、回転速度の変動に応じて、所望のレベルの交流出力を得ることができる。
【０１７７】
以上説明したように、この実施の形態の発電装置によれば、回転子巻線を有する回転子と固定子巻線を有する固定子とを備え、回転子巻線が所定の周期で通電される非接触のスイッチング手段を介して直流電源にて励磁されるようにしているので、回転子の回転速度に比例した交流出力を取り出すことができる。また、発光素子駆動部のロジック回路の制御によって、商用電源の周波数に同期させた交流出力や、任意の周波数の交流出力を取り出すことができる。
【０１７８】
なお、発光素子９としては、ＬＥＤなどの発光素子の他に電磁石に置き換えることも可能である。この場合、ＳＷ受光素子８は、フォトトランジスタに代えてホール素子およびトランジスタ８ａに置換することができる。なお、この置換については、後述する。
【０１７９】
［第２の実施形態］
図７は、この発明の第２の実施形態にかかる発電装置の簡略構成図である。この実施形態は、系統連携の発電装置として機能させる場合の構成を示すものである。同図に示す発電装置は、図１に示す発電装置の界磁巻線１を商用電源に接続し、発電装置の発電出力を商用電源（系統）側に出力させて系統連携できるように構成している。なお、その他の構成については、図１に示す第１の実施の形態の構成と同一または同等であり、これらの構成部については、同一符号を付して示している。
【０１８０】
つぎに、図７に示すこの実施の形態の発電装置の動作について説明する。なお、図８−１は、第２の実施の形態の発電装置における回転子６の回転速度と回転子巻線４に生ずる起電力（電圧）との関係を示す図であり、図８−２は、第２の実施の形態の発電装置における回転子６の回転速度と界磁巻線１に生ずる起電力（電圧）との関係を示す図である。
【０１８１】
図７において、第１の実施の形態のところで説明したように、発光素子９が同期速度で回転点滅することによりＳＷ受光素子８の導通切り替わりが同期速度に同期して生ずる。このとき、界磁巻線１には、ブラシ１３ｂの移動によって直流電源１１から流れる直流電流の切り替わりにて回転子６の回転子巻線４に生じた同期回転磁界によって、上記で定義したトランス結合作用による起電力が生じる。なお、この起電力が回転子６が停止している状態でも生ずることは、第１の実施の形態のときと同様である。
【０１８２】
一方、この実施の形態の発電装置では、第１の実施の形態の発電装置と異なり、界磁巻線１の界磁電流による磁束の変化によって回転子巻線４に交流起電力電圧が、発生していることである。これに、発光素子９の発光によって選択された２つのＳＷ受光素子８の間に印加される直流電源１１の端子電圧が、印加されることになる。このとき、回転子巻線４には、界磁磁束による誘導起電力と直流電源１１による印加電圧とが互いに逆方向に印加されることとなる。この逆向きに印加されるという事象は、同期速度未満の場合であり、後述する。したがって、回転子巻線４に回転磁界を生起させるためには、直流電源１１による端子電圧が界磁巻線１と回転子巻線４との巻数比によって決定される誘導起電力電圧より高く設定することが必要である。
【０１８３】
すなわち、回転子巻線に発生する電圧に着目すれば、回転子巻線に発生する電圧をＥ２とし、直流電源電圧をＥ１とするとき、Ｅ１＝Ｅ２となる回転子６の回転速度Ｐ１が存在し、回転子６の回転速度がこのＰ１を超える領域が発電領域となる（図８−１参照）。一方、界磁巻線に発生する電圧で見れば、回転による起電力（Ｒ）は、Ｐ１の点からスタートして直線的に増加するカーブとなり、トランス結合作用による起電力（Ｔ）は、第１の実施の形態のときと同様に界磁巻線１と回転子巻線４との巻数比によって決定される所定の電圧からスタートして直線的に減少し、回転子６の回転が同期速度で０となり、同期速度を超えて再び上昇する（図８−２参照）。
【０１８４】
上述したことから明らかなように、この実施の形態の発電装置では、回転子６がＰ１の点から同期速度を超えて回転する領域の全域にわたって、同期速度で回転している回転磁界の周期に同期した同期周波数の発電出力を得ることができる。なお、図８−１，８−２に示すように、回転子６の回転速度がＰ１から同期速度未満の領域では、同期発電機としての振る舞いを呈し、回転子６が同期速度を超えて回転している領域では、誘導発電機としての振る舞いを呈することになる。
【０１８５】
一方、上記の領域以外、すなわち、回転子６の回転速度がＰ１以下の領域での動作について考察するとつぎのようになる。すなわち、この領域では、図８−１に示すように、直流電源１１による回転子巻線４への印加電圧（Ｅ１）が界磁巻線１による回転子巻線４に発生する起電力（Ｅ２）より低くなり、直流電源１１側に電流が流れ込むことになる。したがって、この領域では、誘導電動機としての振る舞いを呈することになる。このとき、カットイン風速近傍のブレードの回転始動を支援できる（図８−２参照）。
【０１８６】
また、直流電源１１の電圧（Ｅ１）を界磁巻線１による回転子巻線４に発生する起電力（Ｅ２）と同等、あるいは若干高めに設定しておけば、直流電源１１の電圧が低下したとしても、上記充電電流によって直流電源１１の電圧が復旧した後は、誘導電動機として振る舞うことはないので、この発電装置が系統負荷とならない状態を維持することができる。
【０１８７】
図９は、直流電源１１を視点とした第２の実施の形態の発電装置の特性を図８−１に示す回転子巻線４に発生する電圧のグラフ上に示した説明図である。以下、同図を用いて、この発電装置の特性を説明する。なお、同図に示すように、回転子６の回転速度に基づいた３つの領域、すなわち、
１  停止状態から回転速度Ｐ１までの領域
２  回転速度Ｐ１を超え同期速度までの領域
３  同期速度を超える領域
の各領域ごとに、それぞれ説明する。
【０１８８】
（停止状態から回転速度Ｐ１までの領域）
この領域では、上述したように、直流電源１１側に電流が流れ込む領域である。また、この電流は、直流電源１１を充電する方向に流れるので、直流電源が二次電池であれば充電することができる。また、この領域は、上述したように、誘導電動機としての振る舞いを呈する領域でもあり、風車７のブレードの回転始動を支援できる領域でもある。
【０１８９】
（回転速度Ｐ１を超え同期速度までの領域）
この領域は、直流電源１１により発電可能な領域である。図１０に示すように、直流電源電圧（Ｅ１）と回転子巻線４に発生する電圧（Ｅ２）との差電圧ΔＶ１に基づいて回転子巻線４が励磁されるので、回転速度の増大に伴って発電電圧が増加することになる。
【０１９０】
（同期速度を超える領域）
同期速度を超える領域では、回転子巻線４に発生する電圧Ｅ２は、図９に示すように極性が反転する。したがって、この領域では、直流電源電圧（Ｅ１）と回転子巻線４に発生する電圧（Ｅ２）との差電圧ΔＶ３に基づいて回転子巻線４が励磁されることになり、より大きな発電電圧が出力されることが理解できる。なお、ΔＶ２は、直流電源電圧を０Ｖにした場合の差電圧を示しており、直流電源電圧がない場合でも発電が可能であることを示している。
【０１９１】
また、上述した内容から、この領域では、二次電池である直流電源の極性を反転することによって、発電を可能としつつ、この二次電池を充電することもできることを示している。
【０１９２】
つぎに、ΔＶ１、ΔＶ２、ΔＶ３による発電の根拠となる直流電源電圧Ｅ１及び回転子巻線４に発生する電圧Ｅ２について、図９及び図１２により説明する。図１２は、回転子巻線４の励磁回路を示している。中心のコイルが回転子巻線４を示している。図中○印中のプラス、マイナスは直流電源電圧Ｅ１の電極である。直流電源電圧Ｅ１を印加していない場合の図中、トランジスタ８ｃ（上）、８ｄ（下）の両コレタタ間に発生する電圧の実効値が、図９の回転子巻線４に発生する電圧Ｅ２である。図９において、回転子の回転速度が、０〜同期回転速度未満では、図１２おける、回転子巻線４に発生する電圧の極性は、トランジスタ８ｃ（上）のコレタタ側にプラス、トランジスタ８ｄ（下）のコレクタ側がマイナスとなる。これは、回転子巻線４内を下から上に流す電流となる。この場合、上記電極を導通すると誘導電動機として作用し、発電しない。
【０１９３】
したがって、直涜電源電圧Ｅ１（Ｅ１＞Ｅ２）を上記電極に印加し、回転子巻線４内を上から下に流す電流を発生させる。これにより、発電機として作用させる電流を作りだすことができる。図９では、ΔＶ１＝Ｅ１−Ｅ２である。図９で、Ｅ２＞Ｅ１（Ｐ１より回転子の回転速度が小なる区間）では、回転予巻線４内を上から下に流す電流を作れず、下から上に流れる電流が発生する。しかし、この区間を利用して回転子６の回転始動支援状態を作れる。
【０１９４】
図９において、回転子６の回転が同期回転速度を超えたとき、図１２で、回転子巻線４に発生する電圧の極性は、トランジスタ８ｃ（上）のコレタタ側にマイナス、トランジスタ８ｄ（下）のコレクタ側がプラスとなる。この場合、回転子巻線４内を上から下に流す電流が発生し誘導発電機として作用する。図９において、回転子巻線４に発生する電圧Ｅ２が同期速度を境に極性反転しているのはこのためである。ΔＶ２は、回転子６が同期回転速度を超えているため、直流電源電圧Ｅ１が０Ｖでも発電可能であることを示している。ΔＶ３は、更に、直流電源電圧Ｅ１を印加し発電を強力にできることを示している。また、回転子６が同期回転速度を超えている場合、直流電源電圧Ｅ１＜回転子巻線４に発生する電圧Ｅ２となるよう、直流電源電圧Ｅ１を設定すれば、直流電源電圧Ｅ１が二次電池の場合、この電極の極性を反転することにより充電可能であることがわかる。
【０１９５】
上述した動作（作用）を纏めると、界磁巻線１に発生する電圧は、つぎのようになる。
１  回転子６の停止状態から回転速度Ｐ１までの領域では、トランス結合作用による起電力のみが生じ、
２  回転子６が回転速度Ｐ１を超え同期速度未満の領域では、トランス結合作用による起電力が減少する反面、回転による起電力が増大し、
３  回転子６が同期速度で回転しているときは、回転による起電力のみが生じ、トランス結合作用による起電力は略０となり、
４  回転子６が同期速度を超えて回転しているときは、回転による起電力は増加し、トランス結合作用による起電力は同期速度を境として再び上昇する。
【０１９６】
また、発電装置としての振る舞いは、つぎのようになる。
１  回転子６の停止状態から回転速度Ｐ１までの領域では、誘導電動機として振る舞い、
２  回転子６が回転速度Ｐ１を超え同期速度までの領域では、同期発電機として振る舞い、
３  回転子６が同期速度を超えて回転しているときは、誘導発電機として振る舞うことになる。
【０１９７】
また、直流電源１１を視点とする発電装置の特性は、つぎのようになる。
１  回転子６の停止状態から回転速度Ｐ１までの領域は、充電可能な領域であるとともに、風車７のブレードを回転始動支援できる領域であり、
２  回転子６が回転速度Ｐ１を超え同期速度までの領域は、直流電源により発電可能な領域であり、
３  回転子６が同期速度を超えて回転しているときは、直流電源１１の充電と発電装置の発電との両者を同時に実現可能な領域である。
【０１９８】
つぎに、試作機による実験例について説明する。図１０は、実際に製作した試作機の構成を示す図である。同図に使用する符号は、図７に示す構成と同一部分については同一符号を付して示している。図１０において、商用交流電源１４の電圧を降圧する変圧器１５が備えられ、変圧器１５の出力を交流電源として発電機の界磁巻線１によって界磁回路が形成されている。発光素子駆動部１２は、ＬＥＤ９を商用周波数にて順に発光させる。回転子６は、増速機１６を介して、例えば手動にて回転できるように構成されている。また、図示を省略した回転子巻線の引き出し線を直流電源１１に接続するためのスリップリング１０ａ、１０ｂは、回転子６に一体的に取り付けられ、また、受光素子８は、円形に配列された円板８１に一体的に回転子６に取り付けられている。受光素子８は、スリップリング１０ａ、１０ｂに接続された直流電源１１と回転子巻線とを接続するためのものである。なお、回転子巻線４と直流電源１１および受光素子８との接続状態は後述する。また、図１０においては、界磁電流および界磁電圧（系統電圧）を計測するための測定器（例えば、オシロスコープ１７）を備え、直流電源回路、ＬＥＤ回路を開閉する回路スイッチ１９、１８を備えている。
【０１９９】
図１１は、直流電源１１の回路構成の一例を示す図である。同図に示す直流電源１１は、電圧源と電流源の両者の機能を兼ね備え、二次電池であるバッテリ１１０の出力を電圧源として出力させるためのスイッチ１１１と、スイッチ１１１を開いたときに電流源と機能させるための抵抗体１１２、トランジスタ１１３、ツェナーダイオード１１４およびバイアス抵抗器１１５とを備えている。同図において、スイッチ１１１が投入されるときには、図示を省略しているスリップリング１０ａ、１０ｂにはバッテリ１１０の電圧が直接加わって電圧源として機能することになる。一方、スイッチ１１１を開いた場合には、抵抗体１１２の電流がツェナーダイオード１１４によって逆バイアスに調整されるので、トランジスタ１１３の通電電流が一定に制御され、電流源として機能させることができる。
【０２００】
図１２は、図１０に示す回路にあって、スイッチ素子である受光素子８ａ、８ｂと、トランジスタ８ｃ〜８ｆとダイオードにより、回転子巻線４を接続した状態を示した回路図である。図２では、受光素子８として受光ＭＯＳ素子８ａ１１、８ａ１２、８ｂ１１、８ｂ１２を示したが、同図に示す回路は、これらの受光ＭＯＳ素子としてフォトトランジスタ８ａ、８ｂを用い、これらのフォトトランジスタ８ａ、８ｂによって制御されるトランジスタ８ｃ、８ｄ、８ｅ、８ｆを用いた実際の回路構成である。
【０２０１】
図１２において、フォトトランジスタ８ａは、そのコレクタおよびエミッタがそれぞれトランジスタ８ｃ、８ｄのベースに接続され、トランジスタ８ｃ、８ｄのコレクタ間に回転子巻線４が接続される。また、フォトトランジスタ８ｂはそのコレクタおよびエミッタがそれぞれトランジスタ８ｅ、８ｆのベースに接続され、トランジスタ８ｅ、８ｆのコレクタ間に回転子巻線４が接続される。フォトトランジスタ８ａとトランジスタ８ｃ、８ｄとは、直流電源からの電流を回転子巻線４の一方向（上から下方向）に流すためのスイッチング手段であり、フォトトランジスタ８ｂと、トランジスタ８ｅ、８ｆとは、直流電源１１の電流を回転子巻線４の他方向（下から上方向）に流すためのスイッチング手段である。
【０２０２】
つぎに、図１２を用いて、この回路の動作について説明する。図示を省略したＬＥＤ９からの発射光がフォトトランジスタ８ａのベースに入射するとき、フォトトランジスタ８ａのベース電流が、トランジスタ８ｃ、８ｄのベース電流として流れて、８ｃ、８ｄがオンとなり、回転子巻線４を一方向（図中上から下方向）に通電させる状態が生成されるため、直流電源のプラス極から回転子巻線４を介して直流電源のマイナス極に向かって電流が流れる。
【０２０３】
一方、図示を省略したＬＥＤ９からの発射光がフォトトランジスタ８ｂのベースに入射するとき、フォトトランジスタ８ｂのベース電流が増幅され、トランジスタ８ｅ、８ｆのベース電流として流れて８ｅ，８ｆがオンとなり、回転子巻線４を他方向（図中下から上方向）に通電させる状態が生成されるため、直流電源のプラス極から回転子巻線４を介して直流電源のマイナス極に電流が流れる。
【０２０４】
なお、上述したように、フォトトランジスタ８ａ，８ｂのいずれか一つにＬＥＤ９からの発射光が入射され、トランジスタ８ｃ，８ｄまたはトランジスタ８ｅ，８ｆのいずれか一方がオンとなる。なお、図２では、８ａ１１と８ａ１２の２個の受光素子を同時にオンする必要があったが、図１２では、８ａまたは８ｂのように、１個の受光素子をオンすることで足りる。
【０２０５】
また、各トランジスタのコレクタエミッタ間に接続されているダイオードは、トランジスタ保護用としてのダイオードである。また、フォトトランジスタ８ａ，８ｂについて、それぞれ別々の回路を設けているのは、回転子６が回転しても、回転子巻線４に流れる電流方向を常に一定にするためである（図５の１の状態と図５の５の状態とを参照）。これは、回転子６の回転により、回転子巻線４が電気角にして１８０°回転した場合、回転子巻線４に流れる電流方向を逆転しないと、界磁極２２側から見ると、回転子巻線４に流れる電流方向が逆転するからであり、これを防止するためである。すなわち、界磁極２２（界磁巻線１）に対し、回転子巻線４が発生する磁界の極性を常に一定に保つためである。
【０２０６】
このようにして、図１０に示す回路構成にあって、界磁巻線１および発光素子駆動部１２に商用交流電源を接続することによって、界磁巻線１にて交番磁界あるいは回転磁界が生ずるとともにＬＥＤ９が順に点滅し、フォトトランジスタ８ａ、８ｂが同期速度にて順に導通する。この時点で、界磁巻線１による交番磁界あるいは回転磁界に基づく回転子巻線４への誘導起電力より、直流電源（電圧源）電圧を高く設定することにより、回転子巻線４には直流電源１１からの電流が流れ込み発電に寄与する回転磁界を生ずる。
【０２０７】
図１２について、これまでに説明した事象は、フォトトランジスタ８ａが受光し、トランジスタ８ｃ、８ｄがオンとなった場合である。つぎに、回転子巻線４が電気角１８０°回転し、フォトトランジスタ８ｂが受光した場合について説明する。このとき、上記のフォトトランジスタ８ａが受光した場合と比較し、回転子巻線４に発生する誘導電圧Ｅ２の位相が反転しているため、回転子巻線４に流れる電流は上記の説明とは全て逆方向となる。したがって、トランジスタ８ｅ、８ｆにより、直流電源電圧Ｅ１の極性も反転して、回転子巻線４に印加される。この、直流電源電圧Ｅ１の極性反転については更に後述する。
以上、回転子巻線４に発生する電圧は交流であるが、回転子巻線４の両端に現れる瞬間の電圧は、直流電源電圧Ｅ１に対し直流電源のように振舞う。
【０２０８】
前述の、図９及び図１２の説明は、フォトトランジスタ８ａが受光し、トランジスタ８ｃ、８ｄがオンとなった場合を代表して説明している。上記全体の説明に対し、回転子６が停止している場合と、同期速度で回転している場合について説明を加える。回転子６が停止している場合、フォトトランジスタ８ａとフォトトランジスタ８ｂが交互に受光し、電気角１８０°移相する。回転子６が同期速度で回転している場合は、フォトトランジスタ８ａまたはフォトトランジスタ８ｂのいずれか一方が受光し続ける。このとき、回転子巻線４発生する誘導電圧Ｅ２は０となり、直流電源電圧Ｅ１が供給する電流が回転子巻線４に流れる。
【０２０９】
図１３〜図１５は、図１０に示す回路にあって、オシロスコープ１７による電圧および電流波形、すなわち界磁電圧Ｖおよび界磁電流波形Ｉを示すグラフである。図１３は、図１０において、直流電源１１の回路スイッチ１９を開放し、発光素子駆動部１２の回路スイッチ１８を開放して、回転子巻線電流を流さないで、かつＬＥＤ９も点滅させない状態での界磁回路の電圧Ｖおよび電流Ｉの波形を示している。同図に示すように、電圧Ｖに対して電流Ｉが界磁巻線１のインダクタンス成分によって位相遅れが生じている。なお、この電流Ｉにより発生する交番磁界あるいは回転磁界に基づき回転子巻線４に誘導起電力（図示しない）が発生する。
【０２１０】
図１４は、図１０に示す回路スイッチ１８、１９を投入し、発光素子駆動部１２を駆動してフォトトランジスタ８ａ、８ｂを導通させ、直流電源（電圧源）をスリップリング１０ａ、１０ｂを介して回転子巻線４に接続したときの界磁電圧Ｖおよび界磁電流波形Ｉを示すグラフである。このときの計測条件は、直流電源の電圧は２０Ｖであり、変圧器１５の二次電圧Ｖとして交流８Ｖを印加している。
【０２１１】
この状態では、界磁巻線１の電流Ｉによる磁束変化と回転子巻線数とに依存して回転子巻線４に発生する誘導起電力は、直流電源電圧より低いので回転子巻線４には、フォトトランジスタ８ａ、８ｂの導通による励磁電流が流れて回転磁界が生じる。この結果、界磁巻線１には、回転子巻線４の回転磁界と同一周期の起電力が生ずる。この結果、図１４に示すように、界磁電圧Ｖに対してほぼ逆相の界磁電流Ｉが流れ、発電機から系統側に電力が送られることになる。すなわち、直流電源１１による励磁電流にて形成された回転磁界が界磁巻線１の磁束を変化させることで、界磁巻線１に起電力を誘導したことになる。なお、このときの界磁電流Ｉは、界磁電圧Ｖに対し位相ずれが少ない逆相であり、また直流電源１１による励磁電流は１５ｍＡ程度であり、励磁電流は極めて少ない。
【０２１２】
図１５は、図１４に示す波形の回路状態において、原動機（例えば手動）により増速機１６を介して回転子６を回転させた波形を示すグラフである。ここでは図示のとおり界磁電流Ｉの波形は、図１４の波形と比べても位相の変化は無く、波高値が原動機の回転に応じて大きくなる。すなわち原動機の出力エネルギーが発電電流に変換され、大きな振幅の界磁電流Ｉが得られている。なお、回転子６の回転速度如何に関わらず、界磁電流の周波数、位相は一定である。
【０２１３】
このように、この第２の実施形態の発電装置では、広範囲な回転駆動力の変化があっても恒常的な発電電力が得られ、系統連系を行う場合において、インバータ等の機器が不要となる利点を有している。また、一定周波数の出力を得ることが容易にでき、また、その一方で、前述した電流源、電圧源としての直流電源装置を用いることで、周波数等調整のための調整装置や、出力制御のための制御装置、保護装置等を簡素化することができ、設備コストの低減や、保守点検の軽減を図ることができる。
【０２１４】
［第３の実施形態］
図１６は、この発明の第３の実施形態にかかる発電装置の簡略構成図である。この実施形態は、第２の実施の形態の発電装置において直流電源を必要としないように構成されている点が大きく相違する。また、直流電源を必要としない構成のため、スリップリング１０ａ，１０ｂも不用となっている。なお、その他の構成については、図７に示す第２の実施の形態の発電装置の構成と同一または同等であり、これらの構成部については、同一符号を付して示している。
【０２１５】
また、図１７は、回転子巻線４の一端と他端とを接続する一対の受光ＭＯＳ素子８ａ、８ｂの接続を示す図である。同図に示すように、一対の受光ＭＯＳ素子８ａ、８ｂを逆極性にて直列接続し、一方の受光ＭＯＳ素子８ａを一単位巻線に接続し、他方の受光ＭＯＳ素子８ｂを一単位巻線とは電気角で略１８０度離れた別の単位巻線に接続して、これらを同時に受光させることによって受光ＭＯＳ素子８ａと受光ＭＯＳ素子８ｂの両者をオンすることができる構成としている。このとき、前述の一の型巻コイルと他の型巻コイルとの間には閉回路が形成され、電流が流れる状態が形成されることになる。
【０２１６】
つぎに、図１６，図１７を用いて、この実施の形態の発電装置の動作について説明する。これらの図において、発光素子駆動部１２によって発光素子９が順に点滅され、受光ＭＯＳ素子８ａ、８ｂが同時に順に導通していく状態は、回転子巻線４の短絡された一対の単位巻線が順番に位置を変えて移動する状態となる。ここで、例えば、原動機（風車）７が回転せず回転子６が停止状態か、あるいは、回転子６の回転速度が同期速度未満の場合に、界磁巻線１に流れる励磁電流による磁束変化によって回転子巻線４に誘導起電力が生じ、また、このときに流れる回転子巻線４の電流によって、回転子６にはトルクが発生し、風車７を回転させることになる。
【０２１７】
この実施形態は、風車７による回転駆動力によって回転子６が同期速度を超えた回転をしている場合に発電機となる。すなわち、風車７による回転駆動力によって回転子６が同期速度を越える速度になったとき、受光ＭＯＳ素子８ａ、８ｂの点灯に伴って回転子巻線４が部分的に短絡され、いわゆる負のすべりが生じて誘導発電機を構成する。回転子６が同期速度を超えて回転する場合、回転子巻線４に流れる電流は、同期速度未満で回転し、誘導電動機として振る舞う場合に流れる回転子巻線４の電流とは逆方向に流れる。したがって、この逆方向の回転子巻線４の電流の増大によって、界磁巻線１には発電電流が流れることになる。
【０２１８】
なお、発光素子駆動部１２によって発光素子９が順に点滅され、受光ＭＯＳ素子８ａ、８ｂが同時に順に導通していく状態では、回転子巻線４が順に位置を変えて単位巻線ごとに移動して短絡され、回転子巻線４が順に短絡され切り替わっていく状態になるので、回転子６の回転速度が増加するにつれて、回転子巻線４のリアクタンスが大きくなって、回転子巻線４の過電流が制限される。
【０２１９】
また、図１８は、太陽電池の受光部８ｘの導通にてＳＷ受光素子８ａ、８ｂをオンする接続構成を示す図である。同図（ｃ）において、受光素子８ａのドレイン端子が端に接続され、受光素子８ｂのドレイン端子が単位巻線の他端に接続されている。また、これらの受光素子８ａ，８ｂのソース端子が共通に接続され、同様に共通に接続されたゲート端子との間に、太陽電池８ｘが配置されている。このような構成であっても、発光素子９からの出力光を太陽電池８ｘの受光部に照射して太陽電池８ｘを通電させることで、受光素子８ａ，８ｂを導通させることができ、回転子巻線４を短絡状態に設定することができる。
【０２２０】
図１９−１は、第３の実施形態において界磁巻線１に発生する電圧を示す図であり、図１９−２は、第３の実施形態において回転子巻線４に発生する電圧を示す図である。この実施の形態の発電装置は、第２の実施の形態の発電装置において、直流電源電圧（Ｅ１）が０Ｖのときと等価である。つまり、図８−１および図８−２に示すＰ１が同期速度に一致し、発電開始点が同期速度のポイントに移動することになり、図１９−１に示すカーブと一致する。なお、図１９−２に示す回転子巻線４に発生する電圧は、界磁巻線１から誘導される起電力であり、図８−１に示す電圧と何ら変わることなく、同様な特性となる。  
【０２２１】
このように、第３の実施形態の発電装置では、同期速度超の回転速度で一定周波数の発電電力を得ることができる。特に、直流電源を必要とせず、さらに簡易な構成とすることができるので、設備コストの低減や、保守点検の軽減を図ることができる。
【０２２２】
［第４の実施形態］
図２０は、この発明の第４の実施形態にかかる発電装置の簡略構成図である。この実施形態は、第３の実施の形態の発電装置を前提とし、界磁電流の電流を検出する電流検出器３１と、回転子６の回転速度を検出する速度検出器３２と、同期周期で発光素子を点滅するＰＷＭ方式の発光素子駆動部１２をさらに備え、界磁電流と回転速度とに基づいたＰＷＭ制御を行って回転子巻線に流れる電流を制御する点に特徴がある。なお、その他の構成については、図１６に示す第３の実施の形態の構成と同一または同等であり、これらの構成部については、同一符号を付して示している。
【０２２３】
図２０において、速度検出器３２は、回転子６の回転速度を検出して発光素子駆動部３０を制御する。すなわち、回転子６が同期回転速度を超えたとき、発光素子駆動部１２の動作を開始し、同期速度未満の場合、発光素子は発光しない。また、電流検出器３１は、界磁巻線に流れる界磁電流を検出して発光素子駆動部３０を制御する。発光素子駆動部１２は、界磁巻線での発電電流が大きい場合に、電流検出器３１からの検出信号に基づいて全発光素子９の一斉点灯時間幅をＰＷＭ制御によって短く変更する。この制御によって、回転子巻線の過大電流が制限され、界磁巻線１の焼損を防止することができる。
【０２２４】
図２１は、太陽電池の受光部８ｘの導通にてＳＷ受光素子８をオンする接続構成を示す図である。第３の実施形態のときと同様に、単位巻線にドレイン端子が接続されている受光素子８の全てのソース端子を共通接続し、このソース端子と全てのゲートを共通接続した端子との間に接続された太陽電池８ｘを配置することで、全ての回転子巻線４を短絡させることができる。
【０２２５】
図２２−１は、第４の実施形態において界磁巻線１に発生する電圧を示す図であり、図２２−２は、第４の実施形態において回転子巻線４に発生する電圧を示す図である。この実施の形態の発電装置は、誘導発電機の構造と等価であり、誘導発電機の特性を示すことになる。したがって、図２２−１、図２２−２に示すように、第３の実施の形態の発電装置と同様な特性が得られる。なお、誘導発電機としての回転子電流は、回転数の増大とともに大きくなるのが一般的であるが、この実施の形態の発電装置では、高速回転時には光結合の切り替わりが高速になることで、等価的にリアクタンス成分が増大するので、誘導発電機と比較して電流の増加は、第３の実施形態の発電装置のときと同様に、比較的緩やかな特性を呈するようになる。
【０２２６】
このように、第４の実施形態の発電装置では、同期速度超の回転速度で一定周波数の発電電力を得ることができる。特に、直流電源を必要とせず、さらに簡易な構成とすることができるので、設備コストの低減や、保守点検の軽減を図ることができる。また、ＰＷＭ制御によって回転子巻線に流れる電流制御を行うようにしているので、出力電圧レベルの詳細な制御を行うことができる。さらに、回転子巻線の過大電流が制限されるので、界磁巻線１の焼損を確実に防止することができる。
【０２２７】
なお、上述の第２〜４の実施形態において、発光素子９および受光素子８として、図３に示す構造を例示しているが、この構造に限定されるものではなく、これらの発光素子９や受光素子８の変形例には、多くのものがある。例えば、前述したように、板８１や９１に間隔をあけて素子を配列したり、図３の例示のように、隙間なく密に配列することも可能である。また、長い円弧状の発光素子９や受光素子８を設けたり、さらには、同時に数個の発光素子９や受光素子８を発光あるいは受光させ、あるいは、図２３に示すように回転数が大きくなるにしたがって、支点８２を中心として錘８３に働く遠心力により、スプリング８４に抗して受光素子８が回動し、発光素子の光の受光を減少させる構造も考えられる。
【０２２８】
図２４は、図１２の変形例を示す図である。同図において、図１２と同一あるいは同等な部分には、同一符号を付している。同図に示す回路は、図１２の回路と大略相違することはないが、図１２のフォトトランジスタの代わりにホール素子８ｋとトランジスタ８ａ，８ｃ，８ｄとの組み合わせて回路が構成されている。なお、図２４においても、図１２と同様に、回転子巻線４を他方向（図中下から上方向）に通電するための回路も存在するが、ここでの図示は省略している。
【０２２９】
図２４に示す回路は、ホール素子８ｋに電圧を印加すると磁束密度の大きさに比例した電圧を出力するという特性を利用している。具体的には、図示を省略した発光素子９側に電磁石８ｊを配置し、ＳＷ受光素子８側にホール素子８ｋを配置することで、順に励磁された電磁石８ｊの磁界がホール素子８ｋに作用することでホール素子８ｋが電圧を出力する。この電圧によってベース電流が流れ、トランジスタ８ａが導通する。また、トランジスタ８ａの導通によって、トランジスタ８ｃ、８ｄにベース電流が流れるので、直流電源のプラス極から回転子巻線４を介して直流電源のマイナス極に電流が流れる。このようにして、電磁石８ｊとホール素子８ｋとをそれぞれ対峙して周方向に配列し、電磁石８ｊの励磁を順に切り替えることによってホール素子８ｋに順に起電力が生じさせることができ、トランジスタ８ａを順に導通させることができる。
【０２３０】
この結果、図２４の回路は、図１２のＬＥＤ９を電磁石８ｊ、図１２のフォトトランジスタ８ａをホール素子８ｋとトランジスタ８ａに置き換えることで、図１２と全く同じ動作をする。一方、図１２の回路動作は、ＬＥＤ９からの放射光による受光検出によるものであるのに対し、図２４では、ホール素子８ｋによる磁束検出によって行われるので、放射光がフォトトランジスタに届きにくいような環境、例えば、塵埃が多い環境では、ホール素子８ｋを用いることで、発電装置の動作の信頼性が高くなるという効果がある。
【０２３１】
なお、図７による第２の実施形態の発電装置のところで、同期速度を超える回転速度の場合等に、直流電源１１を充電することができることについて触れたが、直流電源１１の代わりに、あるいは直流電源１１とともに抵抗器を挿入することで過大電流を消費するような回路構成としてもよい。また、第１〜第４の実施形態においての共通事項であるが、過電流対策として回転子巻線４に可変抵抗を挿入する構造としてもよい。
【産業上の利用可能性】
【０２３２】
以上のように、この発明にかかる発電装置は、回転駆動力の大小にかかわらない発電が可能であり、単独運転あるいは系統連携の発電装置に適している。
【図面の簡単な説明】
【０２３３】
【図１】この発明の第１の実施形態にかかる発電装置の簡略構成図である。
【図２】回転子巻線４とＳＷ受光素子８との原理的結線状態を簡略的に示す図である。
【図３】ＳＷ受光素子８および発光素子９の配置とこれらの位置関係とを説明するための図である。
【図４】回転子巻線４に流れる電流方向の変化を説明するための図である。
【図５】回転子の回転磁界によって界磁巻線１に生ずる磁界の変化を説明するための図である。
【図６】回転子６の回転速度と界磁巻線１に生ずる起電力（電圧）との関係を示す図である。
【図７】この発明の第２の実施形態にかかる発電装置の簡略構成図である。
【図８−１】第２の実施の形態の発電装置において回転子６の回転速度と回転子巻線４に生ずる起電力（電圧）との関係を示す図である。
【図８−２】第２の実施の形態の発電装置において回転子６の回転速度と界磁巻線１に生ずる起電力（電圧）との関係を示す図である。
【図９】直流電源１１を視点とした第２の実施の形態の発電装置の特性を図８−１に示す回転子巻線４に発生する電圧のグラフ上に示した説明図である。
【図１０】実際に製作した試作機の構成を示す図である。
【図１１】直流電源１１の回路構成の一例を示す図である。
【図１２】図１０に示す回路にあって、スイッチ素子である受光素子８ａ、８ｂと、トランジスタ８ｃ〜８ｆとダイオードにより、回転子巻線４を接続した状態を示した回路図である。
【図１３】図１０に示す回路での界磁電圧Ｖおよび界磁電流波形Ｉ（直流電源：非接続、発光素子駆動部：非駆動）を示すグラフである。
【図１４】図１０に示す回路での界磁電圧Ｖおよび界磁電流波形Ｉ（直流電源：接続、発光素子駆動部：駆動、回転駆動力：なし）を示すグラフである。
【図１５】図１０に示す回路での界磁電圧Ｖおよび界磁電流波形Ｉ（直流電源：接続、発光素子駆動部：駆動、回転駆動力：あり）を示すグラフである。
【図１６】この発明の第３の実施形態にかかる発電装置の簡略構成図である。
【図１７】回転子巻線４の一端と他端とを接続する一対の受光ＭＯＳ素子８ａ、８ｂの接続を示す図である。
【図１８】太陽電池の受光部８ｘの導通にてＳＷ受光素子８ａ、８ｂをオンする接続構成を示す図である。
【図１９−１】第３の実施形態において界磁巻線１に発生する電圧を示す図である。
【図１９−２】第３の実施形態において回転子巻線４に発生する電圧を示す図である。
【図２０】この発明の第４の実施形態にかかる発電装置の簡略構成図である。
【図２１】太陽電池の受光部８ｘの導通にてＳＷ受光素子８をオンする接続構成を示す図である。
【図２２−１】第４の実施形態において界磁巻線１に発生する電圧を示す図である。
【図２２−２】第４の実施形態において回転子巻線４に発生する電圧を示す図である。
【図２３】ＳＷ受光素子８の配置に関する変形例の構成を示す図である。
【図２４】ホール素子と回転子巻線の構成の変形例を示す回路図である。
【符号の説明】
【０２３４】
１  界磁巻線
２  固定子鉄心
３  固定子
４  回転子巻線
５  回転子鉄心
６  回転子
７  風車
８  ＳＷ受光素子
８ａ，８ａ１１，８ａ１２，８ａｎ１，８ａｎ２，８ｂ，８ｂ１１，８ｂ１２，８ｂｎ１，８ｂｎ２，８ｃ，８ｄ，８ｅ，８ｆ  受光ＭＯＳ素子
８ｊ  電磁石
８ｋ  ホール素子
９  発光素子
１０ａ，１０ｂ  スリップリング
１１  直流電源
１２  発光素子（ＬＥＤ）駆動部
１３  整流子
１３ａ  整流子片
１３ｂ  ブラシ
１３ｃ  ブラシ移動位置
１４  交流電源
１５  変圧器
１６  増速機
１７  オシロスコープ
１８，１９  回路スイッチ
２１  ヨーク
２２  磁極片
３０  発光素子駆動部（ＰＷＭ方式）
３１  電流検出器
３２  速度検出器
４１  コイル片
８１  円板
８２  支点
８３  錘
８４  スプリング
９１  板
１１０  バッテリ
１１１  スイッチ
１１２  抵抗体
１１３  トランジスタ
１１４  ツェナーダイオード
１１５  バイアス抵抗器
【図１】
2005057984.tif 000003
【図２】
2005057984.tif 000004
【図３】
2005057984.tif 000005
【図４】
2005057984.tif 000006
【図５】
2005057984.tif 000007
【図６】
2005057984.tif 000008
【図７】
2005057984.tif 000009
【図８−１】
2005057984.tif 000010
【図８−２】
2005057984.tif 000011
【図９】
2005057984.tif 000012
【図１０】
2005057984.tif 000013
【図１１】
2005057984.tif 000014
【図１２】
2005057984.tif 000015
【図１３】
2005057984.tif 000016
【図１４】
2005057984.tif 000017
【図１５】
2005057984.tif 000018
【図１６】
2005057984.tif 000019
【図１７】
2005057984.tif 000020
【図１８】
2005057984.tif 000021
【図１９−１】
2005057984.tif 000022
【図１９−２】
2005057984.tif 000023
【図２０】
2005057984.tif 000024
【図２１】
2005057984.tif 000025
【図２２−１】
2005057984.tif 000026
【図２２−２】
2005057984.tif 000027
【図２３】
2005057984.tif 000028
【図２４】
2005057984.tif 000029